【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
スキャフォールドであって、
第一分解速度を有する第一材料を有する第一ポリマー電界紡糸繊維と、
前記第一分解速度とは異なる第二分解速度を有する第二材料を有する第二ポリマー電界紡糸繊維とを有し、
前記第一材料および前記第二材料は、ポリカプロラクトン、キトサン、ポリジオキサノン、ポリグリコライド、ポリ（ラクチド−ｃｏ−カプロラクトン）、ポリ（ラクチド−ｃｏ−グリコライド）、ポリ−Ｌ−ラクチド、およびこれらの組合せからなる群から独立して選択される、スキャフォールド。
【請求項２】
請求項１記載のスキャフォールドにおいて、前記第一材料はポリグリコライドであり、前記第二材料はポリ（ラクチド−ｃｏ−カプロラクトン）である、スキャフォールド。
【請求項３】
請求項１記載のスキャフォールドにおいて、前記第一分解速度は前記第二分解速度より約２倍〜約５２倍大きい、スキャフォールド。
【請求項４】
請求項１記載のスキャフォールドであって、さらに、分化細胞、多分化能性幹細胞、多能性幹細胞、全能性幹細胞、自家細胞、同系細胞、同種異系細胞、骨髄幹細胞、臍帯血幹細胞、間葉細胞、胚性幹細胞、人工多能性幹細胞、上皮細胞、内皮細胞、造血細胞、免疫学的細胞、およびこれらのあらゆる組合せからなる群から選択される少なくとも１つの生物学的細胞を有する、スキャフォールド。
【請求項５】
請求項１記載のスキャフォールドにおいて、前記第一ポリマー電界紡糸繊維および前記第二ポリマー電界紡績繊維は、１：１、２：１、３：１、１：２、および１：３からなる群から選択される重量比で存在する、スキャフォールド。
【請求項６】
請求項１記載のスキャフォールドであって、血管移植片の形を有し、前記血管移植片は約２％／ｍｍＨｇ〜約１４％／ｍｍＨｇのコンプライアンス、約０．０１ＭＰａ〜約１０ＭＰａの破裂圧力、および約１００ｇ〜約３５００ｇの縫合保持強度を有する、スキャフォールド。
【請求項７】
請求項６記載のスキャフォールドにおいて、前記血管移植片は第一端および第二端を有し、前記コンプライアンスは前記第一端から前記第二端にかけて変化する、スキャフォールド。
【請求項８】
請求項１記載のスキャフォールドにおいて、前記第一分解速度は、実質的に細胞浸透速度に相当し、前記第二分解速度は、実質的に前記第一分解速度より遅い、スキャフォールド。
【請求項９】
キットであって、
第一分解速度を有する第一材料を有する第一ポリマー電界紡糸繊維、および前記第一分解速度とは異なる第二分解速度を有する第二材料を有する第二ポリマー電界紡糸繊維を有するスキャフォールドと、
少なくとも１つのフラッシュ紡糸高密度ポリエチレン繊維、ホイル成分、および乾燥剤成分を有するシール可能パウチと、
を有する、キット。
【請求項１０】
請求項９記載のキットにおいて、前記スキャフォールドが環境条件中で約２年にわたり安定である、キット。
【請求項１１】
スキャフォールドを製造する方法であって、
第一ポリマー注入システムからマンドレル上へ第一ポリマー溶液を排出させることにより、第一分解速度を有する第一ポリマー繊維を電界紡糸する工程と、
第二ポリマー注入システムから前記マンドレル上へ第二ポリマー溶液を排出させることにより、前記第一分解速度とは異なる第二分解速度を有する第二ポリマー繊維を電界紡糸する工程とを有し、
前記第一ポリマー溶液および前記第二ポリマー溶液は、ポリカプロラクトン、キトサン、ポリジオキサノン、ポリグリコライド、ポリ（ラクチド−ｃｏ−カプロラクトン）、ポリ（ラクチド−ｃｏ−グリコライド）、ポリ−Ｌ−ラクチド、およびこれらの組合せからなる群から独立して選択されるポリマーをそれぞれ有する、方法。
【請求項１２】
請求項１１記載の方法において、前記第一ポリマー繊維を電界紡糸する工程および前記第二ポリマー繊維を電界紡糸する工程が同時に実施される、方法。
【請求項１３】
創傷治癒を改善するためのスキャフォールドであって、
第一分解速度を有する第一材料を有する第一ポリマー電界紡糸繊維と、
前記第一分解速度とは異なる第二分解速度を有する第二材料を有する第二ポリマー電界紡糸繊維とを有し、
前記第一材料および前記第二材料は、ポリカプロラクトン、キトサン、ポリジオキサノン、ポリグリコライド、ポリ（ラクチド−ｃｏ−カプロラクトン）、ポリ（ラクチド−ｃｏ−グリコライド）、ポリ−Ｌ−ラクチド、およびこれらの組合せからなる群から独立して選択され、前記スキャフォールドは創傷の部分に適用される、スキャフォールド。
【請求項１４】
請求項１３記載のスキャフォールドにおいて、前記スキャフォールドは、分化細胞、多分化能性幹細胞、多能性幹細胞、全能性幹細胞、自家細胞、同系細胞、同種異系細胞、骨髄幹細胞、臍帯血幹細胞、間葉細胞、胚性幹細胞、人工多能性幹細胞、上皮細胞、内皮細胞、造血細胞、免疫学的細胞、およびこれらのあらゆる組合せからなる群から選択される少なくとも１つの生物学的細胞で前播種される、スキャフォールド。
【請求項１５】
請求項１３記載のスキャフォールドにおいて、前記スキャフォールドは、血小板濃縮血漿、骨髄、間質血管細胞群、およびこれらの組合せからなる群から選択される処理に浸漬される、スキャフォールド。
【手続補正２】
【補正対象書類名】明細書
【補正対象項目名】０００６
【補正方法】変更
【補正の内容】
【０００６】
ポリマー繊維は、体内で見られる物理的構造を擬態し、細胞リモデリング及び創傷治癒を促進しうる。そのような繊維で構成されるスキャフォールドは、創傷治癒、及び血管移植片適用の両者において有効でありうる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２０１２／００９３７１７号明細書
（特許文献２）  米国特許出願公開第２０１３／０３１０９２０号明細書
（特許文献３）  米国特許出願公開第２０１０／０１０５７９９号明細書
（特許文献４）  国際公開第２０１０／０４８２８１号
（特許文献５）  米国特許出願公開第２０１１／００８３９８７号明細書
（特許文献６）  米国特許出願公開第２０１７／０００７７４１号明細書
（特許文献７）  米国特許出願公開第２０１４／０１４２７１８号明細書
（特許文献８）  豪国特許出願公告第２００９２０７４８９号明細書
（特許文献９）  米国特許出願公開第２００５／０２２０８４８号明細書
（特許文献１０）  米国特許出願公開第２００８／０２０８３２３号明細書
（特許文献１１）  米国特許出願公開第２０１１／００８３９８７号明細書
（特許文献１２）  国際公開第２０１０／０４８２８１号
（特許文献１３）  米国特許第７，１７２，７６５号明細書
（特許文献１４）  米国特許出願公開第２０１６／０１７６５５９号明細書
（特許文献１５）  米国特許出願公開第２００８／０２０８３２３号明細書
（特許文献１６）  米国特許出願公開第２０１１／００８３９８７号明細書
（特許文献１７）  米国特許出願公開第２００２／００９０７２５号明細書
（特許文献１８）  米国特許出願公開第２０１７／０１８２２０６号明細書
（特許文献１９）  米国特許出願公開第２００７／０２３２１６９号明細書
（特許文献２０）  米国特許出願公開第２００６／００６０９９９号明細書
（特許文献２１）  米国特許出願公開第２００９／０１５２７７３号明細書
（特許文献２２）  米国特許出願公開第２００９／０１６２４６８号明細書
（特許文献２３）  米国特許出願公開第２００９／０２５３３２８号明細書
（特許文献２４）  米国特許出願公開第２００６／０１３５０２０号明細書
（特許文献２５）  米国特許出願公開第２００６／０２０４５３９号明細書
（特許文献２６）  米国特許出願公開第２０１１／０１７７３９５号明細書
（特許文献２７）  国際公開第２０１５／１５３０１１号
（特許文献２８）  米国特許出願公開第２０１２／０２７１４０５号明細書
（特許文献２９）  国際公開第２００５／０９６９８９号
（特許文献３０）  中国特許出願公開第１０２００８７５５号明細書
（特許文献３１）  米国特許出願公開第２０１２／００９３７１７号明細書
（特許文献３２）  国際公開第２０１０／０４８２８１号
（特許文献３３）  米国特許出願公開第２００３／０１６８７５６号明細書
（特許文献３４）  米国特許出願公開第２０１１／００２２１４９号明細書
（特許文献３５）  米国特許出願公開第２０１１／００３０８８５号明細書
（特許文献３６）  米国特許出願公開第２０１４／０３０９７２６号明細書
（特許文献３７）  米国特許第４，７３８，７４０号明細書
（特許文献３８）  米国特許第５，２５８，０２７号明細書
（特許文献３９）  米国特許第５，６２８，７８８号明細書
（特許文献４０）  米国特許第６，１４３，０２２号明細書
（特許文献４１）  米国特許出願公開第２００２／０１４２４５８号明細書
（特許文献４２）  米国特許出願公開第２００３／０２２６７５０号明細書
（特許文献４３）  米国特許出願公開第２００５／０１７７２４９号明細書
（特許文献４４）  米国特許出願公開第２００５／０２７７９８５号明細書
（特許文献４５）  米国特許出願公開第２００６／０１３４１５７号明細書
（特許文献４６）  米国特許出願公開第２００６／０１５４０６３号明細書
（特許文献４７）  米国特許出願公開第２００６／００８５０６３号明細書
（特許文献４８）  米国特許出願公開第２００６／０２００２３２号明細書
（特許文献４９）  米国特許第７，１１５，２２０号明細書
（特許文献５０）  米国特許第７，２２０，２８１号明細書
（特許文献５１）  米国特許出願公開第２００７／０１４２９０７号明細書
（特許文献５２）  米国特許出願公開第２００７／０１９１９５６号明細書
（特許文献５３）  米国特許出願公開第２００７／０２６９４８１号明細書
（特許文献５４）  米国特許出願公開第２００７／０２８６８８０号明細書
（特許文献５５）  米国特許第７，３９０，７６０号明細書
（特許文献５６）  米国特許第７，４１３，５７５号明細書
（特許文献５７）  米国特許出願公開第２００８／０２０８３５８号明細書
（特許文献５８）  米国特許出願公開第２００９／００１８６４３号明細書
（特許文献５９）  米国特許第７，４９０，５６３号明細書
（特許文献６０）  米国特許出願公開第２００９／０１０８５０３号明細書
（特許文献６１）  米国特許出願公開第２００９／０１４３８５５号明細書
（特許文献６２）  米国特許第７，６２９，０３０号明細書
（特許文献６３）  米国特許出願公開第２０１０／００８２１１４号明細書
（特許文献６４）  米国特許第７，７１８，３５１号明細書
（特許文献６５）  米国特許出願公開第２０１０／０１６６８５４号明細書
（特許文献６６）  米国特許出願公開第２０１０／０２２２７７１号明細書
（特許文献６７）  米国特許出願公開第２０１０／０２３３１１５号明細書
（特許文献６８）  米国特許出願公開第２０１０／０２７３２５８号明細書
（特許文献６９）  米国特許出願公開第２０１０／０３０３８８１号明細書
（特許文献７０）  米国特許出願公開第２０１１／００２８８３４号明細書
（特許文献７１）  米国特許出願公開第２０１１／００７０２８３号明細書
（特許文献７２）  米国特許出願公開第２０１１／００９８８２６号明細書
（特許文献７３）  米国特許出願公開第２０１１／０１６６６４７号明細書
（特許文献７４）  米国特許第７，９９３，５６７号明細書
（特許文献７５）  米国特許出願公開第２０１１／０２７０４１２号明細書
（特許文献７６）  米国特許出願公開第２０１２／００６８３８４号明細書
（特許文献７７）  米国特許第８，１５７，７２２号明細書
（特許文献７８）  米国特許出願公開第２０１３／０１０３０７９号明細書
（特許文献７９）  米国特許出願公開第２０１３／０１５０９６３号明細書
（特許文献８０）  米国特許出願公開第２０１４／００３０３１５号明細書
（特許文献８１）  米国特許出願公開第２０１４／００５７３４６号明細書
（特許文献８２）  米国特許出願公開第２０１４／００７２９５１号明細書
（特許文献８３）  米国特許第８，６９１，５４３号明細書
（特許文献８４）  米国特許第８７７１５８２号明細書
（特許文献８５）  米国特許出願公開第２０１４／０２７１７９５号明細書
（特許文献８６）  米国特許出願公開第２０１４／０２７２２２５号明細書
（特許文献８７）  欧州特許出願公開第４１６８４６号明細書
（特許文献８８）  国際公開第２０００／０１０６２２号
（特許文献８９）  国際公開第２００１／０１５７５４号
（特許文献９０）  国際公開第２００５／０１２６０６号
（特許文献９１）  国際公開第２００６／１３８５５２号
（特許文献９２）  国際公開第２００８／１３７６５９号
（特許文献９３）  国際公開第２００９／０８９０３５号
（特許文献９４）  国際公開第２０１０／０４０１２９号
（特許文献９５）  国際公開第２０１０／１２４２０７号
（特許文献９６）  欧州特許出願公開第２４２２００３号明細書
（特許文献９７）  特表２０１２−５２７２１７号公報
（特許文献９８）  国際公開第２０１３／０７８０５１号
（特許文献９９）  国際公開第２０１３／１０６８２２号
（特許文献１００）  国際公開第２０１４／０３１７２１号
（特許文献１０１）  国際公開第２０１４／１４５８６４号
（特許文献１０２）  国際公開第２０１５／１８７５５５号
（非特許文献）
（非特許文献１）  ＡＹＲＥＳ  ｅｔ  ａｌ．，"Ｍｉｃｒｏｖａｓｃｕｌａｒ  Ｅｎｄｏｔｈｅｌｉａｌ  Ｃｅｌｌ  Ｍｉｇｒａｔｉｏｎ  ｉｎ  Ｓｃａｆｆｏｌｄｓ  ｏｆ  Ｅｌｅｃｔｒｏｓｐｕｎ  Ｃｏｌｌａｇｅｎ，"Ｗｏｕｎｄ  Ｒｅｐａｉｒ  ａｎｄ  Ｒｅｇｅｎｅｒａｔｉｏｎ（Ｍａｒｃｈ  ２００５）
（非特許文献２）  ＬＥＥ  ｅｔ  ａｌ．，"Ｂｉｏｍｅｄｉｃａｌ  Ａｐｐｌｉｃａｔｉｏｎｓ  ｏｆ  Ｍａｇｎｅｔｉｃａｌｌｙ  Ｆｕｎｃｔｉｏｎａｌｉｚｅｄ  Ｏｒｇａｎｉｃ／Ｉｎｏｒｇａｎｉｃ  Ｈｙｂｒｉｄ  Ｎａｎｏｆｉｂｅｒｓ，"Ｉｎｔｅｒｎａｔｉｏｎａｌ  Ｊｏｕｒｎａｌ  ｏｆ  Ｍｏｌｅｃｕｌａｒ  Ｓｃｉｅｎｃｅｓ（Ｊｕｎｅ  １５，２０１５），１６  ｐｐ．１３６６１−１３６７７．
（非特許文献３）  ＳＡＭＩＯＳ  ｅｔ  ａｌ．，"Ｉｎ  ｓｉｔｕ  ｃｏｍｐａｔｉｂｉｌｉｚａｔｉｏｎ  ｏｆ  ｐｏｌｙｕｒｅｔｈａｎｅ  ｗｉｔｈ  ｐｏｌｙ（ｅｔｈｙｌｅｎｅ  ｔｅｒｅｐｈｔｈａｌａｔｅ），"Ｄｅｐａｒｔｍｅｎｔ  ｏｆ  Ｃｈｅｍｉｓｔｒｙ，Ｅｕｒｏｐｅａｎ  Ｐｏｌｙｍｅｒ  Ｊｏｕｒｎａｌ（２０００），３６  ｐｐ．９３７−９４７．
（非特許文献４）  ＦＲＥＹ  ｅｔ  ａｌ．"Ｅｌｅｃｔｒｏｓｐｉｎｎｉｎｇ  ａｎｄ  Ｐｏｒｏｓｉｔｙ  Ｍｅａｓｕｒｅｍｅｎｔｓ  ｏｆ  Ｎｙｌｏｎ６  ＰＥＯ  ｂｌｅｎｄｅｄ  Ｎｏｎｗｏｖｅｎｓ"Ｊｏｕｒｎａｌ  ｏｆ  Ｅｎｇｉｎｅｅｒｅｄ  Ｆｉｂｅｒｓ  ａｎｄ  Ｆａｂｒｉｃｓ（２００７），２（１）：３１−３７．
（非特許文献５）  ＨＡＳＨＩ  ｅｔ  ａｌ．"Ａｎｔｉｔｈｒｏｍｂｏｇｅｎｉｃ  Ｍｏｄｉｆｉｃａｔｉｏｎ  ｏｆ  Ｓｍａｌｌ  Ｄｉａｍｅｔｅｒ  Ｍｉｃｒｏｆｉｂｒｏｕｓ  Ｖａｓｃｕｌａｒ  Ｇｒａｆｔｓ"Ａｒｔｅｒｉｏｓｃｌｅｒ  Ｔｈｒｏｍｂ  Ｖａｓｅ  Ｂｉｏｌ．（Ａｕｇｕｓｔ  ２０１０），３０（８）：１６２１−１６２７．
（非特許文献６） ＭＥＮＧ  ｅｔ  ａｌ．，  Ｊｏｕｒｎａｌ  ｏｆ  Ｎａｎｏｓｃｉｅｎｃｅ  ａｎｄ  Ｎａｎｏｔｅｃｌｍｏｌｏｇｙ（Ｊｕｌｙ  ８，  ２０１０），３１２−３２０．
（非特許文献７） ＡＢＢＯＴＴ  ｅｔ  ａｌ．，"Ｅｆｆｅｃｔ  ｏｆ  ｃｏｍｐｌｉａｎｃｅ  ｍｉｓｍａｔｃｈ  ｏｎ  ｖａｓｃｕｌａｒ  ｇｒａｆｔ  ｐａｔｅｎｃｙ"（１９８７）Ｊ  Ｖａｓｃ  Ｓｕｒｇ，５（２）：３７６−８２．
（非特許文献８） ＡＢＢＯＴＴ  ｅｔ  ａｌ．，Ｅｖａｌｕａｔｉｏｎ  ａｎｄ  Ｐｅｒｆｏｒｍａｎｃｅ  Ｓｔａｎｄａｒｄｓ  ｆｏｒ  Ａｒｔｅｒｉａｌ  Ｐｒｏｓｔｈｅｓｅｓ，Ｊｏｕｒｎａｌ  ｏｆ  Ｖａｓｃｕｌａｒ  Ｓｕｒｇｅｒｙ（Ｄｅｃｅｍｂｅｒ  １９，１９９２），１７（４）：７４６−７５６．
（非特許文献９） ＡＢＯＩＴＩＺ  ｅｔ  ａｌ．"Ｆｉｂｅｒ  ｃｏｍｐｏｓｉｔｉｏｎ  ｏｆ  ｔｈｅ  ｈｕｍａｎ  ｃｏｒｐｕｓ  ｃａｌｌｏｓｕｍ"（Ｄｅｃｅｍｂｅｒ  １１，  １９９２）Ｂｒａｉｎ  Ｒｅｓ．５９８（１−２）：１４３−１５３（Ａｂｓｔｒａｃｔ  ｏｎｌｙ）．
（非特許文献１０）  ＡＬＢＥＲＴＩＮＩ  ｅｔ  ａｌ．"Ｔｈｅ  ｅｆｆｅｃｔ  ｏｆ  ｇｌｙｃｏｓａｍｉｎｏｇｌｙｃａｎｓ  ａｎｄ  ｐｒｏｔｅｏｇｌｙｃａｎｓ  ｏｎ  ｌｉｐｉｄ  ｐｅｒｏｘｉｄａｔｉｏｎ"（Ａｕｇｕｓｔ  ２０００）  Ｉｎｔ．Ｊ．Ｍｏｌ．Ｍｅｄ．６（２）：１２９−１３６（Ａｂｓｔｒａｃｔ  ｏｎｌｙ）．
（非特許文献１１）  ＡＬＥＸＩＳ  ｅｔ  ａｌ．"Ｉｎ  Ｖｉｖｏ  Ｐａｒｔｉｃｌｅ  Ｕｐｔａｋｅ  ｂｙ  Ａｉｒｗａｙ  Ｍａｃｒｏｐｈａｇｅｓ  ｉｎ  Ｈｅａｌｔｈｙ  Ｖｏｌｕｎｔｅｅｒｓ"（２００６）Ａｍ．Ｊ．Ｒｅｓｐｉｒ．Ｃｅｌｌ  Ｍｏｌ．Ｂｉｏｌ．３４（３）：３０５−３１３．
（非特許文献１２）  ＢＡＮＤ  ｅｔ  ａｌ．"Ａｎｔｉｐｒｏｌｉｆｅｒａｔｉｖｅ  ｅｆｆｅｃｔ  ｏｆ  ｇｏｓｓｙｐｏｌ  ａｎｄ  ｉｔｓ  ｏｐｔｉｃａｌ  ｉｓｏｍｅｒｓ  ｏｎ  ｈｕｍａｎ  ｒｅｐｒｏｄｕｃｔｉｖｅ  ｃａｎｃｅｒ  ｃｅｌｌ  ｌｉｎｅｓ"（Ｍａｒｃｈ  １９８９）Ｇｙｎｅｃｏｌｏｇｉｃ  Ｏｎｃｏｌｏｇｙ  ３２（３）：２７３−２７７（Ａｂｓｔｒａｃｔ  ｏｎｌｙ）．
（非特許文献１３）  ＢＡＮＤＴＬＯＷ  ｅｔ  ａｌ．"Ｐｒｏｔｅｏｇｌｙｃａｎｓ  ｉｎ  ｔｈｅ  ｄｅｖｅｌｏｐｉｎｇ  ｂｒａｉｎ：  ｎｅｗ  ｃｏｎｃｅｐｔｕａｌ  ｉｎｓｉｇｈｔｓ  ｆｏｒ  ｏｌｄ  ｐｒｏｔｅｉｎｓ"（Ｏｃｔｏｂｅｒ  ２０００）Ｐｈｙｓｉｏｌ．Ｒｅｖ．８０（４）：１２６７−１２９０．
（非特許文献１４）  ＢＡＲＡＮ  ｅｔ  ａｌ．"Ｉｍｐｏｒｔａｎｔ  ｒｏｌｅｓ  ｆｏｒ  ｍａｃｒｏｐｈａｇｅ  ｃｏｌｏｎｙ−ｓｔｉｍｕｌａｔｉｎｇ  ｆａｃｔｏｒ，ＣＣ  ｃｈｅｍｏｋｉｎｅ  ｌｉｇａｎｄ  ２，ａｎｄ  ｍｏｎｏｎｕｃｌｅａｒ  ｐｈａｇｏｃｙｔｅｓ  ｉｎ  ｔｈｅ  ｐａｔｈｏｇｅｎｅｓｉｓ  ｏｆ  ｐｕｌｍｏｎａｒｙ  ｆｉｂｒｏｓｉｓ"（２００７）Ａｍ．Ｊ．Ｒｅｓｐｉｒ．Ｃｒｉｔ．Ｃａｒｅ  Ｍｅｄ．１７６（１）：７８−８９．
（非特許文献１５）  ＢＥＬＬＡＩＬ  ｅｔ  ａｌ．"Ｍｉｃｒｏｒｅｇｉｏｎａｌ  ｅｘｔｒａｃｅｌｌｕｌａｒ  ｍａｔｒｉｘ  ｈｅｔｅｒｏｇｅｎｅｉｔｙ  ｉｎ  ｂｒａｉｎ  ｍｏｄｕｌａｔｅｓ  ｇｌｉｏｍａ  ｃｅｌｌ  ｉｎｖａｓｉｏｎ"（Ｊｕｎｅ  ２００４）Ｉｎｔ．Ｊ．Ｂｉｏｃｈｅｍ．Ｃｅｌｌ  Ｂｉｏｌ．３６（６）：１０４６−１０６９（Ａｂｓｔｒａｃｔ  ｏｎｌｙ）．
（非特許文献１６）  ＢＥＮＩＮＧＯ  ｅｔ  ａｌ．"Ｎａｓｃｅｎｔ  Ｆｏｃａｌ  Ａｄｈｅｓｉｏｎｓ  Ａｒｅ  Ｒｅｓｐｏｎｓｉｂｌｅ  ｆｏｒ  ｔｈｅ  Ｇｅｎｅｒａｔｉｏｎ  ｏｆ  Ｓｔｒｏｎｇ  Ｐｒｏｐｕｌｓｉｖｅ  Ｆｏｒｃｅｓ  ｉｎ  Ｍｉｇｒａｔｉｎｇ  Ｆｉｂｒｏｂｌａｓｔｓ"（Ｍａｙ  １４，  ２００１）Ｊ．Ｃｅｌｌ  Ｂｉｏｌ．１５３（４）：８８１−８８７．
（非特許文献１７）  ＢＥＮＺ  ｅｔ  ａｌ．"Ｂｉｏｃｈｅｍｉｃａｌ  Ｃｏｒｒｅｌａｔｅｓ  ｏｆ  ｔｈｅ  Ａｎｔｉｔｕｍｏｒ  ａｎｄ  Ａｎｔｉｍｉｔｏｃｈｏｎｄｒｉａｌ  Ｐｒｏｐｅｒｔｉｅｓ  ｏｆ  Ｇｏｓｓｙｐｏｌ  Ｅｎａｎｔｉｏｍｅｒｓ"（Ｊｕｎｅ  １９９０）Ｍｏｌ．Ｐｈａｒｍａ．３７（６）：８４０−８４７（Ａｂｓｔｒａｃｔ  ｏｎｌｙ）．
（非特許文献１８）  ＢＥＮＺ  ｅｔ  ａｌ．"Ｌａｃｔｉｃ  Ｄｅｈｙｄｒｏｇｅｎａｓｅ  Ｉｓｏｚｙｍｅｓ，３１Ｐ  Ｍａｇｎｅｔｉｃ−Ｒｅｓｏｎａｎｃｅ  Ｓｐｅｃｔｒｏｓｃｏｐｙ，ａｎｄ  Ｉｎ  Ｖｉｔｒｏ  Ａｎｔｉｍｉｔｏｃｈｏｎｄｒｉａｌ  Ｔｕｍｏｒ  Ｔｏｘｉｃｉｔｙ  Ｗｉｔｈ  Ｇｏｓｓｙｐｏｌ  ａｎｄ  Ｒｈｏｄａｍｉｎｅ−１２３"（Ｆｅｂｒｕａｒｙ  １９８７）Ｊ．Ｃｌｉｎ．Ｉｎｖｅｓｔ．７９（２）：５１７−５２３．
（非特許文献１９）  ＢＥＮＺ  ｅｔ  ａｌ．"Ｓｅｌｅｃｔｉｖｅ  ｔｏｘｉｃｉｔｙ  ｏｆ  ｇｏｓｓｙｐｏｌ  ａｇａｉｎｓｔ  ｅｐｉｔｈｅｌｉａｌ  ｔｕｍｏｒｓ  ａｎｄ  ｉｔｓ  ｄｅｔｅｃｔｉｏｎ  ｂｙ  ｍａｇｎｅｔｉｃ  ｒｅｓｏｎａｎｃｅ  ｓｐｅｃｔｒｏｓｃｏｐｙ"（Ｍａｒｃｈ  １９８８）Ｃｏｎｔｒａｃｅｐｔｉｏｎ  ３７（３）：２２１−２２８（Ａｂｓｔｒａｃｔ  ｏｎｌｙ）．
（非特許文献２０）  ＢＥＲＧＥＲ  ｅｔ  ａｌ．，"Ｆｒｅｑｕｅｎｃｙ  ｏｆ  ｅａｒｌｙ  ｏｃｃｌｕｓｉｏｎ  ａｎｄ  ｓｔｅｎｏｓｉｓ  ｉｎ  ａ  ｌｅｆｔ  ｉｎｔｅｒｎａｌ  ｍａｍｍａｒｙ  ａｒｔｅｒｙ  ｔｏ  ｌｅｆｔ  ａｎｔｅｒｉｏｒ  ｄｅｓｃｅｎｄｉｎｇ  ａｒｔｅｒｙ  ｂｙｐａｓｓ  ｇｒａｆｔ  ａｆｔｅｒ  ｓｕｒｇｅｒｙ  ｔｈｒｏｕｇｈ  ａ  ｍｅｄｉａｎ  ｓｔｅｒｎｏｔｏｍｙ  ｏｎ  ｃｏｎｖｅｎｔｉｏｎａｌ  ｂｙｐａｓｓ：ｂｅｎｃｈｍａｒｋ  ｆｏｒ  ｍｉｎｉｍａｌｌｙ  ｉｎｖａｓｉｖｅ  ｄｉｒｅｃｔ  ｃｏｒｏｎａｒｙ  ａｒｔｅｒｙ  ｂｙｐａｓｓ"（１９９９）Ｃｉｒｃｕｌａｔｉｏｎ，１００（２３）：２３５３−８．
（非特許文献２１）  ＢＥＲＧＭＥＩＳＴＥＲ  ｅｔ  ａｌ．，"Ｅｌｅｃｔｒｏｓｐｕｎ  Ｓｍａｌｌ−Ｄｉａｍｅｔｅｒ  Ｐｏｌｙｕｒｅｔｈａｎｅ  Ｖａｓｃｕｌａｒ  Ｇｒａｆｔｓ：Ｉｎｇｒｏｗｔｈ  ａｎｄ  Ｄｉｆｆｅｒｅｎｔｉａｔｉｏｎ  ｏｆ  Ｖａｓｃｕｌａｒ−Ｓｐｅｃｉｆｉｃ  Ｈｏｓｔ  Ｃｅｌｌｓ"（２０１２）Ａｒｔｉｆｉｃｉａｌ  Ｏｒｇａｎｓ，３６（１）：５４−６１．
（非特許文献２２）  ＢＥＲＮＳＴＥＩＮ  ｅｔ  ａｌ．"Ｇｌｉｏｂｌａｓｔｏｍａ  ｃｅｌｌｓ  ｄｏ  ｎｏｔ  ｉｎｔｒａｖａｓａｔｅ  ｉｎｔｏ  ｂｌｏｏｄ  ｖｅｓｓｅｌｓ"（Ｊａｎｕａｒｙ  １９９５）Ｎｅｕｒｏｓｕｒｇｅｒｙ  ３６（１）：１２４−１３２  （Ａｂｓｔｒａｃｔ  ｏｎｌｙ）．
（非特許文献２３）  ＢＥＲＳＨＡＤＳＫＹ  ｅｔ  ａｌ．"Ａｄｈｅｓｉｏｎ−ｍｅｄｉａｔｅｄ  ｍｅｃｈａｎｏｓｅｎｓｉｔｉｖｉｔｙ：  ａ  ｔｉｍｅ  ｔｏ  ｅｘｐｅｒｉｍｅｎｔ，ａｎｄ  ａ  ｔｉｍｅ  ｔｏ  ｔｈｅｏｒｉｚｅ"（Ｏｃｔｏｂｅｒ  ２００６）Ｃｕｒｒ．Ｏｐｎ．Ｃｅｌｌ  Ｂｉｏｌ．１８（５）：４７２−４８１（Ａｂｓｔｒａｃｔ  ｏｎｌｙ）．
（非特許文献２４）  ＢＩＮＤＥＲ  ｅｔ  ａｌ．"Ｐｒｏｔｅａｓｅｓ  ａｎｄ  ｔｈｅ  Ｂｉｏｌｏｇｙ  ｏｆ  Ｇｌｉｏｍａ  Ｉｎｖａｓｉｏｎ"（２００２）Ｊ．Ｎｅｕｒｏ−Ｏｎｃｏｌｏｇｙ  ５６：１４９−１５８
（非特許文献２５）  ＢＲＯＷＮＩＮＧ  ｅｔ  ａｌ．，  "Ｍｕｌｔｉｌａｙｅｒ  ｖａｓｃｕｌａｒ  ｇｒａｆｔｓ  ｂａｓｅｄ  ｏｎ  ｃｏｌｌａｇｅｎ−ｍｉｍｅｔｉｃ  ｐｒｏｔｅｉｎｓ，"（２０１２）Ａｃｔａ  Ｂｉｏｍａｔｅｒ  ８（３）：１０１０−２１．
（非特許文献２６）  ＢＵＣＡＬＡ  ｅｔ  ａｌ．"Ｃｉｒｃｕｌａｔｉｎｇ  Ｆｉｂｒｏｃｙｔｅｓ  Ｄｅｆｉｎｅ  Ａ  Ｎｅｗ  Ｌｅｕｋｏｃｙｔｅ  Ｓｕｂｐｏｐｕｌａｔｉｏｎ  Ｔｈａｔ  Ｍｅｄｉａｔｅｓ  Ｔｉｓｓｕｅ  Ｒｅｐａｉｒ"（Ｎｏｖｅｍｂｅｒ  １９９４）Ｍｏｌ．Ｍｅｄ．１（１）：７１−８１（Ａｂｓｔｒａｃｔ  ｏｎｌｙ）．
（非特許文献２７）  ＣＡＭＯＲＥＴＴＩ−ＭＥＲＣＡＤＯ"Ｔａｒｇｅｔｉｎｇ  ｔｈｅ  ａｉｒｗａｙ  ｓｍｏｏｔｈ  ｍｕｓｃｌｅ  ｆｏｒ  ａｓｔｈｍａ  ｔｒｅａｔｍｅｎｔ"（Ｏｃｔｏｂｅｒ  ２００９）Ｔｒａｎｓｌａｔｉｏｎａｌ  Ｒｅｓｅａｒｃｈ  １５４（４）：１６５−１７４（Ａｂｓｔｒａｃｔ  ｏｎｌｙ）．
（非特許文献２８）  ＣＡＴＴＡＲＵＺＺＡ  ｅｔ  ａｌ．"Ｐｒｏｔｅｏｇｌｙｃａｎ  ｃｏｎｔｒｏｌ  ｏｆ  ｃｅｌｌ  ｍｏｖｅｍｅｎｔ  ｄｕｒｉｎｇ  ｗｏｕｎｄ  ｈｅａｌｉｎｇ  ａｎｄ  ｃａｎｃｅｒ  ｓｐｒｅａｄｉｎｇ"（Ｓｅｐｔｅｍｂｅｒ  ２００５）Ｍａｔｒｉｘ  Ｂｉｏｌ．  ２４（６）：４００−４１７（Ａｂｓｔｒａｃｔ  ｏｎｌｙ）．
（非特許文献２９）  Ｃｅｎｔｒａｌ  Ｂｒａｉｎ  Ｔｕｍｏｒ  Ｒｅｇｉｓｔｒｙ  ｏｆ  ｔｈｅ  Ｕｎｉｔｅｄ  Ｓｔａｔｅｓ，Ｐｒｉｍａｒｙ  Ｂｒａｉｎ  Ｔｕｍｏｒｓ  ｉｎ  ｔｈｅ  Ｕｎｉｔｅｄ  Ｓｔａｔｅｓ-Ｓｔａｔｉｓｔｉｃａｌ  Ｒｅｐｏｒｔ  １９９８−２００２，ＣＢＴＲＵＳ  ２００５−２００６．
（非特許文献３０） ＣＨＡＬＭＥＲＳ  ｅｔ  ａｌ．"Ｃｈａｐｔｅｒ  ９．  Ｐｒｅｐａｒａｔｉｖｅ  ａｐｐｌｉｃａｔｉｏｎｓ  ｏｆ  ｍａｇｎｅｔｉｃ  ｓｅｐａｒａｔｉｏｎ  ｉｎ  ｂｉｏｌｏｇｙ  ａｎｄ  ｍｅｄｉｃｉｎｅ"（２００７）Ｌａｂｏｒａｔｏｒｙ  Ｔｅｃｈｎｉｑｕｅｓ  ｉｎ  Ｂｉｏｃｈｅｍｉｓｔｒｙ  ａｎｄ  Ｍｏｌｅｃｕｌａｒ  Ｂｉｏｌｏｇｙ  ３２：２４９−２６４（Ａｂｓｔｒａｃｔ  ｏｎｌｙ）．
（非特許文献３１）  ＣＨＥＮ  ｅｔ  ａｌ．，Ｐｒｅｐａｒａｔｉｏｎ  ａｎｄ  Ｃｈａｒａｃｔｅｒｉｚａｔｉｏｎ  ｏｆ  Ｃｏａｘｉａｌ  Ｅｌｅｃｔｒｏｓｐｕｎ  Ｔｈｅｒｍｏｐｌａｓｔｉｃ  Ｐｏｌｙｕｒｅｔｈａｎｅ／Ｃｏｌｌａｇｅｎ  Ｃｏｍｐｏｕｎｄ  Ｎａｎｏｆｉｂｅｒｓ  ｆｏｒ  Ｔｉｓｓｕｅ  Ｅｎｇｉｎｅｅｒｉｎｇ  Ａｐｐｌｉｃａｔｉｏｎｓ，Ｃｏｌｌｏｉｄｓ  ａｎｄ  Ｓｕｒｆａｃｅｓ  Ｂ−Ｂｉｏｉｎｔｅｒｆａｃｅｓ（２０１０），７９（２）：３１５−３２５．
（非特許文献３２）  ＣＨＥＷ  ｅｔ  ａｌ．"Ｔｈｅ  Ｒｏｌｅ  ｏｆ  Ｅｌｅｃｔｒｏｓｐｉｎｎｉｎｇ  ｉｎ  ｔｈｅ  Ｅｍｅｒｇｉｎｇ  Ｆｉｅｌｄ  ｏｆ  Ｎａｎｏｍｅｄｉｃｉｎｅ"２００６，Ｃｕｒｒ．Ｐｈａｒｍ．Ｓｅｃ．１２（３６）Ａ：４７５１−４７７０．
（非特許文献３３）  ＣＨＩＣＯＩＮＥ  ｅｔ  ａｌ．"Ａｓｓｅｓｓｍｅｎｔ  ｏｆ  ｂｒａｉｎ−ｔｕｍｏｒ  ｃｅｌｌ  ｍｏｔｉｌｉｔｙ  ｉｎ  ｖｉｖｏ  ａｎｄ  ｉｎ  ｖｉｔｒｏ"（Ａｐｒｉｌ  １９９５）Ｊ．Ｎｅｕｒｏｓｕｒｇ．８２（４）：６１５−６２２（Ａｂｓｔｒａｃｔ  ｏｎｌｙ）．
（非特許文献３４）  ＣＨＯＩ  ｅｔ  ａｌ．"Ｓｔｒｕｃｔｕｒｉｎｇ  ｅｌｅｃｔｒｏｓｐｕｎ  ｐｏｌｙｃａｐｒｏｌａｃｔｏｎｅ  ｎａｎｏｆｉｂｅｒ  ｔｉｓｓｕｅ  ｓｃａｆｆｏｌｄｓ  ｂｙ  ｆｅｍｔｏｓｅｃｏｎｄ  ｌａｓｅｒ  ａｂｌａｔｉｏｎ"（Ｎｏｖｅｍｂｅｒ  ２００７）Ｊ．Ｌａｓｅｒ  Ａｐｐｌ．１９（４）：２２５−２３１．
（非特許文献３５）  ＣＬＥＡＲＹ  ｅｔ  ａｌ．，"Ｖａｓｃｕｌａｒ  ｔｉｓｓｕｅ  ｅｎｇｉｎｅｅｒｉｎｇ：ｔｈｅ  ｎｅｘｔ  ｇｅｎｅｒａｔｉｏｎ"（２０１２）  Ｔｒｅｎｄｓ  ｉｎ  Ｍｏｌｅｃｕｌａｒ  Ｍｅｄｉｃｉｎｅ  １８（７）：３９４−４０４．
（非特許文献３６）  ＣＯＮＴＥ，"Ｔｈｅ  ｉｄｅａｌ  ｓｍａｌｌ  ａｒｔｅｒｉａｌ  ｓｕｂｓｔｉｔｕｔｅ：ａ  ｓｅａｒｃｈ  ｆｏｒ  ｔｈｅ  Ｈｏｌｙ  Ｇｒａｉｌ？"（１９９８）ＦＡＳＥＢ  Ｊ，．１２（１）：４３−５．
（非特許文献３７）  ＣＵＫＩＥＲＭＡＮ  ｅｔ  ａｌ．"Ｔａｋｉｎｇ  ｃｅｌｌ−ｍａｔｒｉｘ  ａｄｈｅｓｉｏｎｓ  ｔｏ  ｔｈｅ  ｔｈｉｒｄ  ｄｉｍｅｎｓｉｏｎ"（Ｎｏｖｅｍｂｅｒ  ２３，  ２００１）Ｓｃｉｅｎｃｅ  ２９４：１７０８−１７１２．
（非特許文献３８）  ＤＡＨＬ  ｅｔ  ａｌ．，"Ｒｅａｄｉｌｙ  Ａｖａｉｌａｂｌｅ  Ｔｉｓｓｕｅ−Ｅｎｇｉｎｅｅｒｅｄ  Ｖａｓｃｕｌａｒ  Ｇｒａｆｔｓ"（２０１１）Ｓｃｉｅｎｃｅ  Ｔｒａｎｓｌａｔｉｏｎａｌ  Ｍｅｄｉｃｉｎｅ，３（６８）．
（非特許文献３９）  ＤＡＶＩＳ，ｅｔ  ａｌ．"Ｉｎｊｅｃｔａｂｌｅ  ｂｉｏｍａｔｅｒｉａｌｓ  ｆｏｒ  ｔｈｅ  ｔｒｅａｔｍｅｎｔ  ｏｆ  ｓｔｒｅｓｓ  ｕｒｉｎａｒｙ  ｉｎｃｏｎｔｉｎｅｎｃｅ：ｔｈｅｉｒ  ｐｏｔｅｎｔｉａｌ  ａｎｄ  ｐｉｔｆａｌｌｓ  ａｓ  ｕｒｅｔｈｒａｌ  ｂｕｌｋｉｎｇ  ａｇｅｎｔｓ"（２０１３）  Ｉｎｔ  Ｕｒｏｇｙｎｅｃｏｌ  Ｊ．２４：９１３−９１９．
（非特許文献４０）  ＤＡＶＩＥＳ  ｅｔ  ａｌ．"Ａｄｕｌｔ  ａｘｏｎ  ｒｅｇｅｎｅｒａｔｉｏｎ  ｉｎ  ａｄｕｌｔ  ＣＮＳ  ｗｈｉｔｅ  ｍａｔｔｅｒ"（Ｄｅｃｅｍｂｅｒ  １，１９９８）Ｔｒｅｎｄｓ  Ｎｅｕｒｏｓｃｉ．２１（１２）：５１５．
（非特許文献４１）  ＤＡＶＩＥＳ  ａｎｄ  ＨＡＧＥＮ，"Ｐａｔｈｏｐｈｙｓｉｏｌｏｇｙ  ｏｆ  ｖｅｉｎ  ｇｒａｆｔ  ｆａｉｌｕｒｅ：ａ  ｒｅｖｉｅｗ"（１９９５）Ｅｕｒ  Ｊ  Ｖａｓｃ  Ｅｎｄｏｖａｓｃ  Ｓｕｒｇ．９（１）：７−１８．
（非特許文献４２）  ＤＥＬＰＥＣＨ  ｅｔ  ａｌ．"Ｈｙａｌｕｒｏｎａｎ  ａｎｄ  ｈｙａｌｕｒｏｎｅｃｔｉｎ  ｉｎ  ｔｈｅ  ｎｅｒｖｏｕｓ  ｓｙｓｔｅｍ"（Ｓｅｐｔｅｍｂｅｒ  ２８，２００７）Ｃｉｂａ  Ｆｏｕｎｄａｔｉｏｎ  Ｓｙｍｐｏｓｉｕｍ  １４３-Ｔｈｅ  Ｂｉｏｌｏｇｙ  ｏｆ  Ｈｙａｌｕｒｏｎａｎ（Ａｂｓｔｒａｃｔ  ｏｎｌｙ）．
（非特許文献４３）  ＤＩＡＺ  ｅｔ  ａｌ．"Ｃｏｎｔｒｏｌｌｅｄ  ｅｎｃａｐｓｕｌａｔｉｏｎ  ｏｆ  ｈｙｄｒｏｐｈｏｂｉｃ  ｌｉｑｕｉｄｓ  ｉｎ  ｈｙｄｒｏｐｈｉｌｉｃ  ｐｏｌｙｍｅｒ  ｎａｎｏｆｉｂｅｒｓ  ｂｙ  ｃｏ−ｅｌｅｃｔｒｏｓｐｉｎｎｉｎｇ"（２００６）Ａｄｖ．Ｆｕｎｃｔ．Ｍａｔｅｒ．１６（１６）：２１１０−２１１６．
（非特許文献４４）  ＤＩＳＣＨＥＲ  ｅｔ  ａｌ．"Ｔｉｓｓｕｅ  ｃｅｌｌｓ  ｆｅｅｌ  ａｎｄ  ｒｅｓｐｏｎｄ  ｔｏ  ｔｈｅ  ｓｔｉｆｆｎｅｓｓ  ｏｆ  ｔｈｅｉｒ  ｓｕｂｓｔｒａｔｅ"（Ｎｏｖｅｍｂｅｒ  １８，２００５）Ｓｃｉｅｎｃｅ  ３１０：１１３９−１１４３．
（非特許文献４５）  ＤＲＩＬＬＩＮＧ  ｅｔ  ａｌ．"Ｆａｂｒｉｃａｔｉｏｎ  ｏｆ  ｂｕｒｓｔ  ｐｒｅｓｓｕｒｅ  ｃｏｍｐｅｔｅｎｔ  ｖａｓｃｕｌａｒ  ｇｒａｆｔｓ  ｖｉａ  ｅｌｅｃｔｒｏｓｐｉｎｎｉｎｇ：Ｅｆｆｅｃｔｓ  ｏｆ  ｍｉｃｒｏｓｔｒｕｃｔｕｒｅ"（Ｍａｒｃｈ  １５，  ２００９）Ｊ．Ｍｉｏｍｅｄ．Ｍａｔ．Ｒｅｓ．Ｐａｒｔ  Ａ  ８８Ａ（４）：９２３−９３４（Ａｂｓｔｒａｃｔ  ｏｎｌｙ）．
（非特許文献４６）  ＤＵ  ｅｔ  ａｌ．，"Ｇｒａｄｉｅｎｔ  ｎａｎｏｆｉｂｒｏｕｓ  ｃｈｉｔｏｓａｎ／ｐｏｌｙ  ｅｐｓｉｌｏｎ−ｃａｐｒｏｌａｃｔｏｎｅ  ｓｃａｆｆｏｌｄｓ  ａｓ  ｅｘｔｒａｃｅｌｌｕｌａｒ  ｍｉｃｒｏｅｎｖｉｒｏｎｍｅｎｔｓ  ｆｏｒ  ｖａｓｃｕｌａｒ  ｔｉｓｓｕｅ  ｅｎｇｉｎｅｅｒｉｎｇ"（２０１２）Ｂｉｏｍａｔｅｒｉａｌｓ，３３（３）：７６２−７７０．
（非特許文献４７）  ＤＵＬＩＮＧ  ｅｔ  ａｌ．"Ｍｅｃｈａｎｉｃａｌ  ｃｈａｒａｃｔｅｒｉｚａｔｉｏｎ  ｏｆ  ｅｌｅｃｔｒｏｓｐｕｎ  Ｐｏｌｙｃａｐｒｏｌａｃｔｏｎｅ（ＰＣＬ）：ａ  ｐｏｔｅｎｔｉａｌ  ｓｃａｆｆｏｌｄ  ｆｏｒ  ｔｉｓｓｕｅ  ｅｎｇｉｎｅｅｒｉｎｇ"（Ｆｅｂｒｕａｒｙ  ２００８）Ｊ．Ｂｉｏｍｅｃｈ．  Ｅｎｇ．１３０（１）Ｎｏ．０１１００６（Ａｂｓｔｒａｃｔ  ｏｎｌｙ）．
（非特許文献４８）  ＥＮＧＬＥＲ  ｅｔ  ａｌ．"Ｍａｔｒｉｘ  Ｅｌａｓｔｉｃｉｔｙ  Ｄｉｒｅｃｔｓ  Ｓｔｅｍ  Ｃｅｌｌ  Ｌｉｎｅａｇｅ  Ｓｐｅｃｉｆｉｃａｔｉｏｎ"（Ａｕｇｕｓｔ  ２５，２００６）Ｃｅｌｌ  １２６（４）：６７７−６８９．
（非特許文献４９）  ＥＰＰＥＲＬＹ  ｅｔ  ａｌ．"Ｃｏｒｒｅｌａｔｉｏｎ  ｏｆ  Ｉｏｎｉｚｉｎｇ  Ｉｒｒａｄｉａｔｉｏｎ−ｉｎｄｕｃｅｄ  Ｌａｔｅ  Ｐｕｌｍｏｎａｒｙ  Ｆｉｂｒｏｓｉｓ  ｗｉｔｈ  Ｌｏｎｇ−ｔｅｒｍ  Ｂｏｎｅ  Ｍａｒｒｏｗ  Ｃｕｌｔｕｒｅ  Ｆｉｂｒｏｂｌａｓｔ  Ｐｒｏｇｅｎｉｔｏｒ  Ｃｅｌｌ  Ｂｉｏｌｏｇｙ  ｉｎ  Ｍｉｃｅ  Ｈｏｍｏｚｙｇｏｕｓ  Ｄｅｌｅｔｉｏｎ  Ｒｅｃｏｍｂｉｎａｎｔ  Ｎｅｇａｔｉｖｅ  ｆｏｒ  Ｅｎｄｏｔｈｅｌｉａｌ  Ｃｅｌｌ  Ａｄｈｅｓｉｏｎ  Ｍｏｌｅｃｕｌｅｓ"（２００４）Ｉｎ  Ｖｉｖｏ  １８（１）：１−１４．
（非特許文献５０）  ＦＡＲＩＮ  ｅｔ  ａｌ．"Ｔｒａｎｓｐｌａｎｔｅｄ  ｇｌｉｏｍａ  ｃｅｌｌｓ  ｍｉｇｒａｔｅ  ａｎｄ  ｐｒｏｌｉｆｅｒａｔｅ  ｏｎ  ｈｏｓｔ  ｂｒａｉｎ  ｖａｓｃｕｌａｔｕｒｅ：ａ  ｄｙｎａｍｉｃ  ａｎａｌｙｓｉｓ"（Ｊｕｎｅ  ２００６）Ｇｌｉａ  ５３（８）：７９９−８０８（Ａｂｓｔｒａｃｔ  ｏｎｌｙ）．
（非特許文献５１）  ＦＡＴＨＡＬＬＡＨ−ＳＨＡＹＫＨ"Ｄａｒｔｓ  ｉｎ  ｔｈｅ  Ｄａｒｋ  Ｃｕｒｅ  Ａｎｉｍａｌ，ｂｕｔ  Ｎｏｔ  Ｈｕｍａｎ，  Ｂｒａｉｎ  Ｔｕｍｏｒｓ"（Ｍａｙ  ２００２）Ａｒｃｈ．Ｎｅｕｒｏｌ．５９：７２１−７２４（Ａｂｓｔｒａｃｔ  ｏｎｌｙ）．
（非特許文献５２）  ＦＥＲＲＡＲＥＳＳＯ  ｅｔ  ａｌ．，"Ｅａｒｌｙ  ｅｘｐｅｒｉｅｎｃｅ  ｗｉｔｈ  ａ  ｎｅｗｌｙ  ｄｅｖｅｌｏｐｅｄ  ｅｌｅｃｔｒｏｓｐｕｎ  ｐｏｌｙｃａｒｂｏｎａｔｅ−ｕｒｅｔｈａｎｅ  ｖａｓｃｕｌａｒ  ｇｒａｆｔ  ｆｏｒ  ｈｅｍｏｄｉａｌｙｓｉｓ  ａｃｃｅｓｓ"（２０１３）Ｊｏｕｒｎａｌ  ｏｆ  Ｖａｓｃｕｌａｒ  Ａｃｃｅｓｓ  １４（３）：２５２−２５６．
（非特許文献５３）  ＦＵ  ｅｔ  ａｌ．，"Ｅｌｅｃｔｒｏｓｐｕｎ  ｇｅｌａｔｉｎ／ＰＣＬ  ａｎｄ  ｃｏｌｌａｇｅｎ／ＰＬＣＬ  ｓｃａｆｆｏｌｄｓ  ｆｏｒ  ｖａｓｃｕｌａｒ  ｔｉｓｓｕｅ  ｅｎｇｉｎｅｅｒｉｎｇ"（２０１４）Ｉｎｔｅｒｎａｔｉｏｎａｌ  Ｊｏｕｒｎａｌ  ｏｆ  Ｎａｎｏｍｅｄｉｃｉｎｅ，９：２３３５−２３４４．
（非特許文献５４）  ＦＵＪＩＨＡＲＡ  ｅｔ  ａｌ"Ｇｕｉｄｅｄ  ｂｏｎｅ  ｒｅｇｅｎｅｒａｔｉｏｎ  ｍｅｍｂｒａｎｅ  ｍａｄｅ  ｏｆ  Ｐｏｌｙｃａｐｒｏｌａｃｔｏｎｅ／ｃａｌｃｉｕｍ  ｃａｒｂｏｎａｔｅ  ｃｏｍｐｏｓｉｔｅ  ｎａｎｏ−ｆｉｂｅｒｓ"（Ｊｕｌｙ  ２００５）Ｂｉｏｍａｔｅｒｉａｌｓ  ２６（１９）：４１３９−４１４７（Ａｂｓｔｒａｃｔ  ｏｎｌｙ）．
（非特許文献５５）  ＦＵＲＮＡＲＩ  ｅｔ  ａｌ．"Ｍａｌｉｇｎａｎｔ  ａｓｔｒｏｃｙｔｉｃ  ｇｌｉｏｍａ：ｇｅｎｅｔｉｃｓ，ｂｉｏｌｏｇｙ，ａｎｄ  ｐａｔｈｓ  ｔｏ  ｔｒｅａｔｍｅｎｔ"（２００７）Ｇｅｎｅｓ  Ｄｅｖ．２１：２６８３−２７１０．
（非特許文献５６）  ＧＡＵＭＥＲ  ｅｔ  ａｌ．"Ｓｔｒｕｃｔｕｒｅ−ｆｕｎｃｔｉｏｎ  ｒｅｌａｔｉｏｎｓｈｉｐｓ  ａｎｄ  Ｓｏｕｒｃｅ−ｔｏ−ｇｒｏｕｎｄ  Ｄｉｓｔａｎｃｅ  ａｎｄ  ｔｈｅ  Ｍｅｃｈａｎｉｃａｌ  Ｐｒｏｐｅｒｔｉｅｓ  ｏｆ  Ｅｌｅｃｔｒｏｓｐｕｎ  Ｆｉｂｅｒ"Ａｃｔａ  Ｂｉｏｍａｔｅｒｉａｌｉａ  ５（５）：１５５２−１５６１（Ａｂｓｔｒａｃｔ  ｏｎｌｙ）．
（非特許文献５７）  ＧＥＩＳＥＲ  ｅｔ  ａｌ．"Ｔｈｅ  Ｒｏｌｅ  ｏｆ  Ｍａｃｒｏｐｈａｇｅｓ  ｉｎ  ｔｈｅ  Ｃｌｅａｒａｎｃｅ  ｏｆ  Ｉｎｈａｌｅｄ  Ｕｌｔｒａｆｉｎｅ  Ｔｉｔａｎｉｕｍ  Ｄｉｏｘｉｄｅ  Ｐａｒｔｉｃｌｅｓ"（２００８）Ａｍ．Ｊ．Ｒｅｓｐｉｒ．Ｃｅｌｌ  Ｍｏｌ．Ｂｉｏｌ．３８（３）：３７１−３７６．
（非特許文献５８）  ＧＥＯＲＧＥＳ  ｅｔ  ａｌ．"Ｃｅｌｌ  ｔｙｐｅ−ｓｐｅｃｉｆｉｃ  ｒｅｓｐｏｎｓｅ  ｔｏ  ｇｒｏｗｔｈ  ｏｎ  ｓｏｆｔ  ｍａｔｅｒｉａｌｓ"（Ａｐｒｉｌ  ２００５）Ｊ．Ａｐｐｌ．Ｐｈｙｓｉｏｌ．９８：１５４７−１５５３．
（非特許文献５９）  ＧＥＯＲＧＥＳ  ｅｔ  ａｌ．"Ｍａｔｒｉｃｅｓ  ｗｉｔｈ  ｃｏｍｐｌｉａｎｃｅ  ｃｏｍｐａｒａｂｌｅ  ｔｏ  ｔｈａｔ  ｏｆ  ｂｒａｉｎ  ｔｉｓｓｕｅ  ｓｅｌｅｃｔ  ｎｅｕｒｏｎａｌ  ｏｖｅｒ  ｇｌｉａｌ  ｇｒｏｗｔｈ  ｉｎ  ｍｉｘｅｄ  ｃｏｒｔｉｃａｌ  ｃｕｌｔｕｒｅｓ"（Ａｐｒｉｌ  ２００６）Ｂｉｏｐｈｙｓ．Ｊ．９０：３０１２−３０１８．
（非特許文献６０）  ＧＩＥＳＥ  ｅｔ  ａｌ．"Ｄｉｃｈｏｔｏｍｙ  ｏｆ  ａｓｔｒｏｃｙｔｏｍａ  ｍｉｇｒａｔｉｏｎ  ａｎｄ  ｐｒｏｌｉｆｅｒａｔｉｏｎ"（１９９６）Ｉｎｔ．Ｊ．Ｃａｎｃｅｒ  ６７：２７５−２８２．
（非特許文献６１）  ＧＩＥＳＥ  ｅｔ  ａｌ．"Ｇｌｉｏｍａ  ｃｅｌｌ  ａｄｈｅｓｉｏｎ  ａｎｄ  ｍｉｇｒａｔｉｏｎ  ｏｎ  ｈｕｍａｎ  ｂｒａｉｎ  ｓｅｃｔｉｏｎｓ"（１９９８）Ａｎｔｉｃａｎｃｅｒ  Ｒｅｓ．１８（４Ａ）：２４３５−２４４７（Ａｂｓｔｒａｃｔ  ｏｎｌｙ）．
（非特許文献６２）  ＧＩＥＳＥ  ｅｔ  ａｌ．"Ｍｉｇｒａｔｉｏｎ  ｏｆ  Ｈｕｍａｎ  Ｇｌｉｏｍａ  Ｃｅｌｌｓ  ｏｎ  Ｍｙｅｌｉｎ"（Ａｐｒｉｌ  １９９６）Ｎｅｕｒｏｓｕｒｇｅｒｙ  ３８（４）：７５５−７６４（Ａｂｓｔｒａｃｔ  ｏｎｌｙ）．  
（非特許文献６３）  ＧＩＥＳＥ  ｅｔ  ａｌ．"Ｓｕｂｓｔｒａｔｅｓ  ｆｏｒ  ａｓｔｒｏｃｙｔｏｍａ  ｉｎｖａｓｉｏｎ"（Ａｕｇｕｓｔ  １９９５）  Ｎｅｕｒｏｓｕｒｇｅｒｙ  ３７（２）：２９４−３０２（Ａｂｓｔｒａｃｔ  ｏｎｌｙ）．
（非特許文献６４）  ＧＩＬＢＥＲＴ  ｅｔ  ａｌ．"Ａｎｔｉｐｒｏｌｉｆｅｒａｔｉｖｅ  ａｃｔｉｖｉｔｙ  ｏｆ  ｇｏｓｓｙｐｏｌ  ａｎｄ  ｇｏｓｓｙｐｏｌｏｎｅ  ｏｎ  ｈｕｍａｎ  ｂｒｅａｓｔ  ｃａｎｃｅｒ  ｃｅｌｌｓ"（Ｍａｙ  ２６，１９９５）Ｌｉｆｅ  Ｓｃｉｅｎｃｅｓ  ５７（１）：６１−６７（Ａｂｓｔｒａｃｔ  ｏｎｌｙ）．
（非特許文献６５）  ＧＬＡＤＳＯＮ"Ｔｈｅ  Ｅｘｔｒａｃｅｌｌｕｌａｒ  Ｍａｔｒｉｘ  ｏｆ  Ｇｌｉｏｍａｓ：  Ｍｏｄｕｌａｔｉｏｎ  ｏｆ  Ｃｅｌｌ  Ｆｕｎｃｔｉｏｎ"（Ｏｃｔｏｂｅｒ  １９９９）Ｊ．Ｎｅｕｒｏｐａｔｈ．Ｅｘｐｅｒ．Ｎｅｕｒ．５８（１０）：１０２９−１０４０（Ａｂｓｔｒａｃｔ  ｏｎｌｙ）．
（非特許文献６６）  ＧＯＬＤＢＲＵＮＮＥＲ  ｅｔ  ａｌ．"Ｃｅｌｌ−ｅｘｔｒａｃｅｌｌｕｌａｒ  ｍａｔｒｉｘ  ｉｎｔｅｒａｃｔｉｏｎ  ｉｎ  ｇｌｉｏｍａ  ｉｎｖａｓｉｏｎ"（１９９９）Ａｃｔａ  Ｎｅｕｒｏｃｈｉｒ（Ｗｉｅｎ）１４１：２９５−３０５．
（非特許文献６７）  ＧＯＬＤＭＡＮ  ｅｔ  ａｌ．，"Ｒａｄｉａｌ  ａｒｔｅｒｙ  ｇｒａｆｔｓ  ｖｓ  ｓａｐｈｅｎｏｕｓ  ｖｅｉｎ  ｇｒａｆｔｓ  ｉｎ  ｃｏｒｏｎａｒｙ  ａｒｔｅｒｙ  ｂｙｐａｓｓ  ｓｕｒｇｅｒｙ：  ａ  ｒａｎｄｏｍｉｚｅｄ  ｔｒｉａｌ"（２０１１）Ｊａｍａ，３０５（２）：１６７−７４．
（非特許文献６８）  ＧＲＡＮＤＰＲＥ  ｅｔ  ａｌ．"Ｎｏｇｏ：ａ  ｍｏｌｅｃｕｌａｒ  ｄｅｔｅｒｍｉｎａｎｔ  ｏｆ  ａｘｏｎａｌ  ｇｒｏｗｔｈ  ａｎｄ  ｒｅｇｅｎｅｒａｔｉｏｎ"（Ｏｃｔｏｂｅｒ  ２００１）Ｎｅｕｒｏｓｃｉｅｎｔｉｓｔ  ７（５）：３７７−３８６（Ａｂｓｔｒａｃｔ  ｏｎｌｙ）．
（非特許文献６９）  ＨＡＬＥＹ  ｅｔ  ａｌ．"Ｓｔｕｄｙ  ｏｆ  ｍｙｅｌｉｎ  ｐｕｒｉｔｙ  ｉｎ  ｒｅｌａｔｉｏｎ  ｔｏ  ａｘｏｎａｌ  ｃｏｎｔａｍｉｎａｔｉｏｎ"（１９８０）Ｃｅｌｌ  Ｍｏｌ．  Ｎｅｕｒｏｂｉｏｌ．１：１７５−１８７．
（非特許文献７０）  ＨＡＲＲＩＮＧＴＯＮ  ｅｔ  ａｌ．，"Ｄｅｔｅｒｍｉｎｉｎｇ  ｔｈｅ  ｆａｔｅ  ｏｆ  ｓｅｅｄｅｄ  ｃｅｌｌｓ  ｉｎ  ｖｅｎｏｕｓ  ｔｉｓｓｕｅ−ｅｎｇｉｎｅｅｒｅｄ  ｖａｓｃｕｌａｒ  ｇｒａｆｔｓ  ｕｓｉｎｇ  ｓｅｒｉａｌ  ＭＲＩ"（２０１１）  Ｆａｓｅｂ  Ｊｏｕｒｎａｌ，２５（１２）：４１５０−４１６１．
（非特許文献７１）  ＨＡＳＨＩ  ｅｔ  ａｌ．"Ａｎｔｉｔｈｒｏｍｂｏｇｅｎｉｃ  Ｐｒｏｐｅｒｔｙ  ｏｆ  Ｂｏｎｅ  Ｍａｒｒｏｗ  Ｍｅｓｅｎｃｈｙｍａｌ  Ｓｔｅｍ  Ｃｅｌｌｓ  ｉｎ  Ｎａｎｏｆｉｂｒｏｕｓ  Ｖａｓｃｕｌａｒ  Ｇｒａｆｔｓ"  Ｊｕｌｙ  １７，２００７，ＰＮＡＳ  １０４（２９）ｐｐ．１１９１５−１１９２０．
（非特許文献７２）  ＨＥ  ｅｔ  ａｌ．"Ｆａｂｒｉｃａｔｉｏｎ  ｏｆ  Ｄｒｕｇ−Ｌｏａｄｅｄ  Ｅｌｅｃｔｒｏｓｐｕｎ  Ａｌｉｇｎｅｄ  Ｆｉｂｒｏｕｓ  Ｔｈｒｅａｄｓ  ｆｏｒ  Ｓｕｔｕｒｅ  Ａｐｐｌｉｃａｔｉｏｎｓ"２００９，Ｊ．Ｂｉｏｍｅｄ．Ｍａｔｅｒ．Ｒｅｓｅａｒｃｈ，Ｐａｒｔ  Ａ  ８９（１）：８０−９５．
（非特許文献７３）  ＨＩＢＩＮＯ  ｅｔ  ａｌ．，  "Ｔｉｓｓｕｅ−ｅｎｇｉｎｅｅｒｅｄ  ｖａｓｃｕｌａｒ  ｇｒａｆｔｓ  ｆｏｒｍ  ｎｅｏｖｅｓｓｅｌｓ  ｔｈａｔ  ａｒｉｓｅ  ｆｒｏｍ  ｒｅｇｅｎｅｒａｔｉｏｎ  ｏｆ  ｔｈｅ  ａｄｊａｃｅｎｔ  ｂｌｏｏｄ  ｖｅｓｓｅｌ"（２０１１）Ｆａｓｅｂ  Ｊｏｕｒｎａｌ，２５（８）：２７３１−２７３９．
（非特許文献７４）  ＨＩＢＩＮＯ  ｅｔ  ａｌ．，"Ａ  ｃｒｉｔｉｃａｌ  ｒｏｌｅ  ｆｏｒ  ｍａｃｒｏｐｈａｇｅｓ  ｉｎ  ｎｅｏｖｅｓｓｅｌ  ｆｏｒｍａｔｉｏｎ  ａｎｄ  ｔｈｅ  ｄｅｖｅｌｏｐｍｅｎｔ  ｏｆ  ｓｔｅｎｏｓｉｓ  ｉｎ  ｔｉｓｓｕｅ−ｅｎｇｉｎｅｅｒｅｄ  ｖａｓｃｕｌａｒ  ｇｒａｆｔｓ"（２０１１）Ｆａｓｅｂ  Ｊｏｕｒｎａｌ，２５（１２）：４２５３−４２６３．
（非特許文献７５）  ＨＩＮＺ  ｅｔ  ａｌ．"Ａｌｐｈａ−ｓｍｏｏｔｈ  ｍｕｓｃｌｅ  ａｃｔｉｎ  ｅｘｐｒｅｓｓｉｏｎ  ｕｐｒｅｇｕｌａｔｅｓ  ｆｉｂｒｏｂｌａｓｔ  ｃｏｎｔｒａｃｔｉｌｅ  ａｃｔｉｖｉｔｙ"（Ｓｅｐｔｅｍｂｅｒ  ２００１）Ｍｏｌｅｃｕｌａｒ  Ｂｉｏｌｏｇｙ  ｏｆ  ｔｈｅ  Ｃｅｌｌ  １２（９）：２７３０−２７４１．
（非特許文献７６）  ＨＯＬＬＡＮＤ"Ｇｌｉｏｂｌａｓｔｏｍａ  ｍｕｌｔｉｆｏｒｍｅ；  ｔｈｅ  ｔｅｒｍｉｎａｔｏｒ"（Ｊｕｎｅ  ６，  ２０００）ＰＮＡＳ  ＵＳＡ  ９７（１２）：６２４２−６２４４．
（非特許文献７７）  ＨＳＵ  ｅｔ  ａｌ．"Ｎ，Ｎ−Ｄｉｍｅｔｈｙｌｆｏｒｍａｍｉｄｅ  Ａｄｄｉｔｉｏｎｓ  ｔｏ  ｔｈｅ  Ｓｏｌｕｔｉｏｎ  ｆｏｒ  ｔｈｅ  Ｅｌｅｃｔｒｏｓｐｉｎｎｉｎｇ  ｏｆ  Ｐｏｌｙ（ε−ｃａｐｒｏｌａｃｔｏｎｅ）Ｎａｎｏｆｉｂｅｒｓ"（Ａｐｒｉｌ  ２００４）Ｍａｃｒｏｍｏｌｅｃｕｌａｒ  Ｍａｔｅｒｉａｌｓ  Ａｎｄ  Ｅｎｇｉｎｅｅｒｉｎｇ  ２８９（４）：３３４−３４０．
（非特許文献７８）  ＨＳＵ  ｅｔ  ａｌ．"Ｎａｎｏ−ｓｉｚｅｄ  ｂｅａｄｓ  ａｎｄ  ｐｏｒｏｕｓ  ｆｉｂｅｒ  ｃｏｎｓｔｒｕｃｔｓ  ｏｆ  Ｐｏｌｙ（ε−ｃａｐｒｏｌａｃｔｏｎｅ）ｐｒｏｄｕｃｅｄ  ｂｙ  ｅｌｅｃｔｒｏｓｐｉｎｎｉｎｇ"（２００４）  Ｊｏｕｒｎａｌ  ｏｆ  Ｍａｔｅｒｉａｌ  Ｓｃｉｅｎｃｅ  ３９（９）：３００３−３０１３．
（非特許文献７９）  ＨＵ  ｅｔ  ａｌ．"Ｇｏｓｓｙｐｏｌ  ｉｎｈｉｂｉｔｓ  ｂａｓａｌ  ａｎｄ  ｅｓｔｒｏｇｅｎ−ｓｔｉｍｕｌａｔｅｄ  ＤＮＡ  ｓｙｎｔｈｅｓｉｓ  ｉｎ  ｈｕｍａｎ  ｂｒｅａｓｔ  ｃａｒｃｉｎｏｍａ  ｃｅｌｌｓ"（１９９３）Ｌｉｆｅ  Ｓｃｉｅｎｃｅｓ  ５３（２５）：ＰＬ４３３−ＰＬ４３８（Ａｂｓｔｒａｃｔ  ｏｎｌｙ）．
（非特許文献８０）  ＨＵ  ｅｔ  ａｌ．"Ｒｅｇｕｌａｔｉｎｇ  ａｘｏｎ  ｇｒｏｗｔｈ  ｗｉｔｈｉｎ  ｔｈｅ  ｐｏｓｔｎａｔａｌ  ｃｅｎｔｒａｌ  ｎｅｒｖｏｕｓ  ｓｙｓｔｅｍ"（Ｄｅｃｅｍｂｅｒ  ２００４）  Ｓｅｍｉｎ  Ｐｅｒｉｎａｔｏｌ  ２８（６）：３７１−３７８．
（非特許文献８１）  ＨＵ  ｅｔ  ａｌ．"Ｔｈｅ  ｐｒｏｔｅｏｇｌｙｃａｎ  ｂｒｅｖｉｃａｎ  ｂｉｎｄｓ  ｔｏ  ｆｉｂｒｏｎｅｃｔｉｎ  ａｆｔｅｒ  ｐｒｏｔｅｏｌｙｔｉｃ  ｃｌｅａｖａｇｅ  ａｎｄ  ｐｒｏｍｏｔｅｓ  ｇｌｉｏｍａ  ｃｅｌｌ  ｍｏｔｉｌｉｔｙ"（Ｓｅｐｔｅｍｂｅｒ  ５，  ２００８）Ｊｏｕｒｎａｌ  ｏｆ  Ｂｉｏｌｏｇｉｃａｌ  Ｃｈｅｍｉｓｔｒｙ  ２８３（３６）：２４８４８−２４８５９．  
（非特許文献８２）  ＨＵＡＮＧ  ｅｔ  ａｌ．"Ａ  ｒｅｖｉｅｗ  ｏｎ  ｐｏｌｙｍｅｒ  ｎａｎｏｆｉｂｅｒｓ  ｂｙ  ｅｌｅｃｔｒｏｓｐｉｎｎｉｎｇ  ａｎｄ  ｔｈｅｉｒ  ａｐｐｌｉｃａｔｉｏｎｓ  ｉｎ  ｎａｎｏｃｏｍｐｏｓｉｔｅｓ"（Ｎｏｖｅｍｂｅｒ  ２００３）Ｃｏｍｐｏｓｉｔｅｓ  Ｓｃｉｅｎｃｅ  ａｎｄ  Ｔｅｃｈｎｏｌｏｇｙ  ６３（１５）：２２２３−２２５３（Ａｂｓｔｒａｃｔ  ｏｎｌｙ）．
（非特許文献８３）  ＨＵＢＥＲ  ｅｔ  ａｌ．，"Ｐａｔｅｎｃｙ  ｏｆ  ａｕｔｏｇｅｎｏｕｓ  ａｎｄ  ｐｏｌｙｔｅｔｒａｆｌｕｏｒｏｅｔｈｙｌｅｎｅ  ｕｐｐｅｒ  ｅｘｔｒｅｍｉｔｙ  ａｒｔｅｒｉｏｖｅｎｏｕｓ  ｈｅｍｏｄｉａｌｙｓｉｓ  ａｃｃｅｓｓｅｓ：Ａ  ｓｙｓｔｅｍａｔｉｃ  ｒｅｖｉｅｗ"（２００３）Ｊｏｕｒｎａｌ  ｏｆ  Ｖａｓｃｕｌａｒ  Ｓｕｒｇｅｒｙ，３８（５）：１００５−１０１１．
（非特許文献８４）  ＨＵＹＮＨ  ｅｔ  ａｌ．，"Ｒｅｍｏｄｅｌｉｎｇ  ｏｆ  ａｎ  ａｃｅｌｌｕｌａｒ  ｃｏｌｌａｇｅｎ  ｇｒａｆｔ  ｉｎｔｏ  ａ  ｐｈｙｓｉｏｌｏｇｉｃａｌｌｙ  ｒｅｓｐｏｎｓｉｖｅ  ｎｅｏｖｅｓｓｅｌ"（１９９９）Ｎａｔｕｒｅ  Ｂｉｏｔｅｃｈｎｏｌｏｇｙ，  １７（１１）：１０８３−１０８６．
（非特許文献８５）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｆｏｒ  ＰＣＴ／ＵＳ２０１５／０１６９７３  ｄａｔｅｄ  Ｍａｙ  ２２，２０１５．
（非特許文献８６）  ＪＡＲＯＳＺＥＷＳＫＩ  ｅｔ  ａｌ．"Ａｃｔｉｏｎ  ｏｆ  Ｇｏｓｓｙｐｏｌ  ａｎｄ  Ｒｈｏｄａｍｉｎｅ  １２３  ｏｎ  Ｗｉｌｄ  Ｔｙｐｅ  ａｎｄ  Ｍｕｌｔｉｄｒｕｇ−ｒｅｓｉｓｔａｎｔ  ＭＣＦ−７  Ｈｕｍａｎ  Ｂｒｅａｓｔ  Ｃａｎｃｅｒ  Ｃｅｌｌｓ：  ３１Ｐ  Ｎｕｃｌｅａｒ  Ｍａｇｎｅｔｉｃ  Ｒｅｓｏｎａｎｃｅ  ａｎｄ  Ｔｏｘｉｃｉｔｙ  Ｓｔｕｄｉｅｓ"（１９９０）Ｃａｎｃｅｒ  Ｒｅｓｅａｒｃｈ  ５０（２１）：６９３６−６９４３．
（非特許文献８７）  ＪＯＨＮＳＯＮ"Ｆｉｒｓｔ−ｉｎ−ｔｈｅ−Ｗｏｒｌｄ  Ｅｑｕｉｎｅ  Ｊｏｉｎｔ  Ｉｎｊｅｃｔｉｏｎ  ｆｏｒ  Ｏｓｔｅｏａｒｔｈｒｉｔｉｓ"（Ｊｕｌｙ／Ａｕｇｕｓｔ  ２０１４）Ｔｈｅ  Ｉｎｔｅｒｎａｔｉｏｎａｌ  Ｅｑｕｉｎｅ  Ｖｅｔｅｒｉｎａｒｉａｎ  ２３−２５．
（非特許文献８８）  ＪＯＨＮＳＯＮ  ｅｔ  ａｌ．"Ｅｌｅｃｔｒｏｓｐｕｎ  ＰＣＬ  ｉｎ  Ｖｉｔｒｏ：ａ  Ｍｉｃｒｏｓｔｒｕｃｔｕｒａｌ  Ｂａｓｉｓ  ｆｏｒ  Ｍｅｃｈａｎｉｃａｌ  Ｐｒｏｐｅｒｔｙ  Ｃｈａｎｇｅｓ"（２００９）Ｊｏｕｒｎａｌ  ｏｆ  Ｂｉｏｍａｔｅｒｉａｌｓ  Ｓｃｉｅｎｃｅ，Ｐｏｌｙｍｅｒ  Ｅｄｉｔｉｏｎ  ２０（４）：４６７−４８１（Ａｂｓｔｒａｃｔ  ｏｎｌｙ）．
（非特許文献８９）  ＪＯＨＮＳＯＮ  ｅｔ  ａｌ．"Ｍｉｃｒｏｓｔｒｕｃｔｕｒｅ−Ｐｒｏｐｅｒｔｙ  Ｒｅｌａｔｉｏｎｓｈｉｐｓ  ｉｎ  ａ  Ｔｉｓｓｕｅ−Ｅｎｇｉｎｅｅｒｉｎｇ  Ｓｃａｆｆｏｌｄ"（２００７）Ｊｏｕｒｎａｌ  ｏｆ  Ａｐｐｌｉｅｄ  Ｐｏｌｙｍｅｒ  Ｓｃｉｅｎｃｅ  １０４（５）：２９１９−２９２７．
（非特許文献９０）  ＪＯＨＮＳＯＮ  ｅｔ  ａｌ．"Ｑｕａｎｔｉｔａｔｉｖｅ  Ａｎａｌｙｓｉｓ  ｏｆ  Ｃｏｍｐｌｅｘ  Ｇｌｉｏｍａ  Ｃｅｌｌ  Ｍｉｇｒａｔｉｏｎ  ｏｎ  Ｅｌｅｃｔｒｏｓｐｕｎ  Ｐｏｌｙｃａｐｒｏｌｃａｔｏｎｅ  Ｕｓｉｎｇ  Ｔｉｍｅ−Ｌａｐｓｅ  Ｍｉｃｒｏｓｃｏｐｙ"（２００９）Ｔｉｓｓｕｅ  Ｅｎｇｉｎｅｅｒｉｎｇ  Ｐａｒｔ  Ｃ  １５（４）：５３１−５４０．
（非特許文献９１）  ＪＵＮＧ  ｅｔ  ａｌ．"Ｔｒａｃｋｉｎｇ  ｔｈｅ  ｉｎｖａｓｉｖｅｎｅｓｓ  ｏｆ  ｈｕｍａｎ  ａｓｔｒｏｃｙｔｏｍａ  ｃｅｌｌｓ  ｂｙ  ｕｓｉｎｇ  ｇｒｅｅｎ  ｆｌｕｏｒｅｓｃｅｎｔ  ｐｒｏｔｅｉｎ  ｉｎ  ａｎ  ｏｒｇａｎｏｔｙｐｉｃａｌ  ｂｒａｉｎ  ｓｌｉｃｅ  ｍｏｄｅｌ"（Ｊａｎｕａｒｙ  ２００１）Ｊ．Ｎｅｕｒｏｓｕｒｇｅｒｙ  ９４（１）：８０−８９（Ａｂｓｔｒａｃｔ  ｏｎｌｙ）．
（非特許文献９２）  ＫＡＮＧ  ｅｔ  ａｌ．Ｐｌａｓｍａ  Ｔｒｅａｔｍｅｎｔ  ｏｆ  Ｔｅｘｔｉｌｅｓ−ｓｙｎｔｈｅｔｉｃ  Ｐｏｌｙｍｅｒ−Ｂａｓｅ  Ｔｅｘｔｉｌｅｓ（２００４）ＡＡＴＣＣ  Ｒｅｖｉｅｗ  ４（１１）：２９−３３．
（非特許文献９３） ＫＡＮＮＡＮ  ｅｔ  ａｌ．，"Ｃｕｒｒｅｎｔ  ｓｔａｔｕｓ  ｏｆ  ｐｒｏｓｔｈｅｔｉｃ  ｂｙｐａｓｓ  ｇｒａｆｔｓ：  ａ  ｒｅｖｉｅｗ"（２００５）  Ｊ  Ｂｉｏｍｅｄ  Ｍａｔｅｒ  Ｒｅｓ  Ｂ  Ａｐｐｌ  Ｂｉｏｍａｔｅｒ，  ７４（１）：５７０−８１．
（非特許文献９４）  ＫＡＴＴＡ  ｅｔ  ａｌ．"Ｃｏｎｔｉｎｕｏｕｓ  ｅｌｅｃｔｒｏｓｐｉｎｎｉｎｇ  ｏｆ  ａｌｉｇｎｅｄ  ｐｏｌｙｍｅｒ  ｎａｎｏｆｉｂｅｒｓ  ｏｎｔｏ  ａ  ｗｉｒｅ  ｄｒｕｍ  ｃｏｌｌｅｃｔｏｒ"（Ｓｅｐｔｅｍｂｅｒ  ２８，  ２００４）Ｎａｎｏ  Ｌｅｔｔｅｒｓ  ４（１１）：２２１５−２２１８  （Ａｂｓｔｒａｃｔ  ｏｎｌｙ）．
（非特許文献９５）  ＫＡＺＥＭＮＥＪＡＤ  ｅｔ  ａｌ．"Ｂｉｏｃｈｅｍｉｃａｌ  ａｎｄ  Ｍｏｌｅｃｕｌａｒ  Ｃｈａｒａｃｔｅｒｉｚａｔｉｏｎ  ｏｆ  Ｈｅｐａｔｏｃｙｔｅ−Ｌｉｋｅ  Ｃｅｌｌｓ  Ｄｅｒｉｖｅｄ  ｆｒｏｍ  Ｈｕｍａｎ  Ｂｏｎｅ  Ｍａｒｒｏｗ  Ｍｅｓｅｎｃｈｙｍａｌ  Ｓｔｅｍ  Ｃｅｌｌｓ  ｏｎ  ａ  Ｎｏｖｅｌ  Ｔｈｒｅｅ−Ｄｉｍｅｎｓｉｏｎａｌ  Ｂｉｏｃｏｍｐａｔｉｂｌｅ  Ｎａｎｏｆｉｂｒｏｕｓ  Ｓｃａｆｆｏｌｄ"Ｆｅｂｒｕａｒｙ  １，２００９，Ｊ．Ｇａｓｔｒｏｎｅｎｔｅｒ．Ｈｅｐａｔｏｌ．２４（２）：２７８−２８７．
（非特許文献９６）  ＫＨＩＬ  ｅｔ  ａｌ．"Ｎｏｖｅｌ  ｆａｂｒｉｃａｔｅｄ  ｍａｔｒｉｘ  ｖｉａ  ｅｌｅｃｔｒｏｓｐｉｎｎｉｎｇ  ｆｏｒ  ｔｉｓｓｕｅ  ｅｎｇｉｎｅｅｒｉｎｇ"（２００５）Ｊｏｕｒｎａｌ  ｏｆ  Ｂｉｏｍｅｄｉｃａｌ  Ｍａｔｅｒｉａｌｓ  Ｒｅｓｅａｒｃｈ  Ｐａｒｔ  Ｂ−Ａｐｐｌｉｅｄ  Ｂｉｏｍａｔｅｒｉａｌｓ  ７２Ｂ（１）：１１７−１２４．
（非特許文献９７）  ＫＩＭ  ｅｔ  ａｌ．"Ｃｏｎｔｒｏｌｌｅｄ  ｐｒｏｔｅｉｎ  ｒｅｌｅａｓｅ  ｆｒｏｍ  ｅｌｅｃｔｒｏｓｐｕｎ  ｂｉｏｄｅｇｒａｄａｂｌｅ  ｆｉｂｅｒ  ｍｅｓｈ  ｃｏｍｐｏｓｅｄ  ｏｆ  ｐｏｌｙ（ε−ｃａｐｒｏｌａｃｔｏｎｅ）ａｎｄ  ｐｏｌｙ（ｅｔｈｙｌｅｎｅ  ｏｘｉｄｅ）"（Ｊｕｎｅ  ２９，  ２００７）Ｉｎｔｅｒｎａｔｉｏｎａｌ  Ｊｏｕｒｎａｌ  ｏｆ  Ｐｈａｒｍａｃｅｕｔｉｃｓ  ３３８（１−２）：２７６−２８３（Ａｂｓｔｒａｃｔ  ｏｎｌｙ）．
（非特許文献９８）  ＫＩＭ  ｅｔ  ａｌ．"Ｅｐｉｔｈｅｌｉａｌ  ｃｅｌｌ  α３β１  ｉｎｔｅｇｒｉｎ  ｌｉｎｋｓ  β−ｃａｔｅｎｉｎ  ａｎｄ  Ｓｍａｄ  ｓｉｇｎａｌｉｎｇ  ｔｏ  ｐｒｏｍｏｔｅ  ｍｙｏｆｉｂｒｏｂｌａｓｔ  ｆｏｒｍａｔｉｏｎ  ａｎｄ  ｐｕｌｍｏｎａｒｙ  ｆｉｂｒｏｓｉｓ"（Ｊａｎｕａｒｙ  ２００９）Ｊｏｕｒｎａｌ  ｏｆ  Ｃｌｉｎｉｃａｌ  Ｉｎｖｅｓｔｉｇａｔｉｏｎ  １１９（１）：２１３−２２４．
（非特許文献９９）  ＫＬＥＩＨＵＥＳ  ｅｔ  ａｌ．"Ｔｈｅ  ＷＨＯ  Ｃｌａｓｓｉｆｉｃａｔｉｏｎ  ｏｆ  Ｔｕｍｏｒｓ  ｏｆ  ｔｈｅ  Ｎｅｒｖｏｕｓ  Ｓｙｓｔｅｍ"（Ｍａｒｃｈ  ２００２）Ｊ．Ｎｅｕｒｏｐａｔｈｏｌ．Ｅｘｐ．Ｎｅｕｒｏｌ．  ６１（３）：２１５−２２５（Ａｂｓｔｒａｃｔ  ｏｎｌｙ）．
（非特許文献１００）  ＫＬＩＭ  ｅｔ  ａｌ．"Ａ  Ｄｅｆｉｎｅｄ  Ｇｌｙｃｏｓａｍｉｎｏｇｌｙｃａｎ−Ｂｉｎｄｉｎｇ  Ｓｕｂｓｔｒａｔｕｍ  ｆｏｒ  Ｈｕｍａｎ  Ｐｌｕｒｉｐｏｔｅｎｔ  Ｓｔｅｍ  Ｃｅｌｌｓ"（２０１０）  Ｎａｔｕｒｅ  Ｍｅｔｈｏｄｓ  ７（２３）：９８９−９９６（Ａｂｓｔｒａｃｔ  ｏｎｌｙ）．
（非特許文献１０１）  ＫＯ  ｅｔ  ａｌ．"Ｈｉｇｈ  Ｐｅｒｃｅｎｔａｇｅ  ｏｆ  Ｆａｌｓｅ−Ｐｏｓｉｔｉｖｅ  Ｒｅｓｕｌｔｓ  ｏｆ  Ｃｙｔｏｋｅｒａｔｉｎ  １９  ＲＴ−ＰＣＲ  ｉｎ  Ｂｌｏｏｄ：Ａ  Ｍｏｄｅｌ  ｆｏｒ  ｔｈｅ  Ａｎａｌｙｓｉｓ  ｏｆ    Ｉｌｌｅｇｉｔｉｍａｔｅ  Ｇｅｎｅ  Ｅｘｐｒｅｓｓｉｏｎ"（２０００）Ｏｎｃｏｌｏｇｙ  ５９：８１−８８（Ａｂｓｔｒａｃｔ  ｏｎｌｙ）．
（非特許文献１０２）  ＫＷＯＮ  ｅｔ  ａｌ．"Ｅｌｅｃｔｒｏｓｐｕｎ  ｎａｎｏ−ｔｏ  ｍｉｃｒｏｆｉｂｅｒ  ｆａｂｒｉｃｓ  ｍａｄｅ  ｏｆ  ｂｉｏｄｅｇｒａｄａｂｌｅ  ｃｏｐｏｌｙｅｓｔｅｒｓ：  ｓｔｒｕｃｔｕｒａｌ  ｃｈａｒａｃｔｅｒｉｓｔｉｃｓ，ｍｅｃｈａｎｉｃａｌ  ｐｒｏｐｅｒｔｉｅｓ  ａｎｄ  ｃｅｌｌ  ａｄｈｅｓｉｏｎ  ｐｏｔｅｎｔｉａｌ"（Ｊｕｎｅ  ２００５）Ｂｉｏｍａｔｅｒｉａｌｓ  ２６（１８）：３９２９−３９３９．
（非特許文献１０３）  ＬＡＮＮＵＴＴＩ  ｅｔ  ａｌ．"Ｅｌｅｃｔｒｏｓｐｉｎｎｉｎｇ  ｆｏｒ  ｔｉｓｓｕｅ  ｅｎｇｉｎｅｅｒｉｎｇ  ｓｃａｆｆｏｌｄｓ"（Ａｐｒｉｌ  ２００７）Ｍａｔｅｒｉａｌｓ  Ｓｃｉｅｎｃｅ  ａｎｄ  Ｅｎｇｉｎｅｅｒｉｎｇ：  Ｃ  ２７（３）：５０４−５０９．
（非特許文献１０４）  ＬＥＢＬＡＮＣ  ｅｔ  ａｌ．"Ａｎ  ｉｎ  ｖｉｔｒｏ  ｓｔｕｄｙ  ｏｆ  ｉｎｈｉｂｉｔｏｒｙ  ａｃｔｉｖｉｔｙ  ｏｆ  ｇｏｓｓｙｐｏｌ，  ａ  ｃｏｔｔｏｎｓｅｅｄ  ｅｘｔｒａｃｔ，  ｉｎ  ｈｕｍａｎ  ｃａｒｃｉｎｏｍａ  ｃｅｌｌ  ｌｉｎｅｓ"（Ｄｅｃｅｍｂｅｒ  ２００２）Ｐｈａｒｍａｃｏｌｏｇｉｃａｌ  Ｒｅｓｅａｒｃｈ  ４６（６）：５５１−５５５．
（非特許文献１０５）  ＬＥＥ  ｅｔ  ａｌ．"Ｃｈａｒａｃｔｅｒｉｚａｔｉｏｎ  ｏｆ  ｎａｎｏ−ｓｔｒｕｃｔｕｒｅｄ  ｐｏｌｙ（ε−ｃａｐｒｏｌａｃｔｏｎｅ）  ｎｏｎｗｏｖｅｎ  ｍａｔｓ  ｖｉａ  ｅｌｅｃｔｒｏｓｐｉｎｎｉｎｇ"  （Ｆｅｂｒｕａｒｙ  ２００３）Ｐｏｌｙｍｅｒ  ４４（４）：１２８７−１２９４．
（非特許文献１０６）  ＬＥＳＭＡ  ｅｔ  ａｌ．"Ｇｌｙｃｏｓａｍｉｎｏｇｌｙｃａｎｓ  ｉｎ  ｎｅｒｖｅ  ｉｎｊｕｒｙ：Ｉ．Ｌｏｗ  ｄｏｓｅｓ  ｇｌｙｃｏｓａｍｉｎｏｇｌｙｃａｎｓ  ｐｒｏｍｏｔｅ  ｎｅｕｒｉｔｅ  ｆｏｒｍａｔｉｏｎ"（Ｄｅｃｅｍｂｅｒ  １，  １９９６）Ｊ．Ｎｅｕｒｏｓｃｉ．Ｒｅｓ．４６（５）：５６５−５７１．
（非特許文献１０７）  ＬＥＶＩＣＡＲ  ｅｔ  ａｌ．"Ｐｒｏｔｅａｓｅｓ  ｉｎ  ｂｒａｉｎ  ｔｕｍｏｕｒ  ｐｒｏｇｒｅｓｓｉｏｎ"（２００３）Ａｃｔａ  Ｎｅｕｒｏｃｈｉｒ．（Ｗｉｅｎ．）１４５：８２５−８３８．
（非特許文献１０８）  ＬＥＶＩＮＡ  ｅｔ  ａｌ．"Ｃｈｅｍｏｔｈｅｒａｐｅｕｔｉｃ  ｄｒｕｇｓ  ａｎｄ  ｈｕｍａｎ  ｔｕｍｏｒ  ｃｅｌｌｓ  ｃｙｔｏｋｉｎｅ  ｎｅｔｗｏｒｋ"（２００８）Ｉｎｔｅｒｎａｔｉｏｎａｌ  Ｊｏｕｒｎａｌ  ｏｆ  Ｃａｎｃｅｒ  １２３（９）：２０３１−２０４０．
（非特許文献１０９）  Ｌ'ＨＥＵＲＥＵＸ  ｅｔ  ａｌ．，"Ｈｕｍａｎ  ｔｉｓｓｕｅ−ｅｎｇｉｎｅｅｒｅｄ  ｂｌｏｏｄ  ｖｅｓｓｅｌｓ  ｆｏｒ  ａｄｕｌｔ  ａｒｔｅｒｉａｌ  ｒｅｖａｓｃｕｌａｒｉｚａｔｉｏｎ"（２００６）  Ｎａｔｕｒｅ  Ｍｅｄｉｃｉｎｅ，１２（３）：３６１−３６５．
（非特許文献１１０）  Ｌ'ＨＥＵＲＥＵＸ  ｅｔ  ａｌ．，"Ａ  ｃｏｍｐｌｅｔｅｌｙ  ｂｉｏｌｏｇｉｃａｌ  ｔｉｓｓｕｅ−ｅｎｇｉｎｅｅｒｅｄ  ｈｕｍａｎ  ｂｌｏｏｄ  ｖｅｓｓｅｌ"（１９９８）Ｆａｓｅｂ  Ｊｏｕｒｎａｌ，１２（１）：４７−５６．
（非特許文献１１１）Ｌ'ＨＥＵＲＥＵＸ  ｅｔ  ａｌ．，"Ｔｉｓｓｕｅ−ｅｎｇｉｎｅｅｒｅｄ  ｂｌｏｏｄ  ｖｅｓｓｅｌ  ｆｏｒ  ａｄｕｌｔ  ａｒｔｅｒｉａｌ  ｒｅｖａｓｃｕｌａｒｉｚａｔｉｏｎ"（２００７）Ｎｅｗ  Ｅｎｇｌａｎｄ  Ｊｏｕｒｎａｌ  ｏｆ  Ｍｅｄｉｃｉｎｅ，３５７（１４）：１４５１−１４５３．
（非特許文献１１２）  ＬＩ  ｅｔ  ａｌ．"Ａ  ｔｈｒｅｅ−ｄｉｍｅｎｓｉｏｎａｌ  ｎａｎｏｆｉｂｒｏｕｓ  ｓｃａｆｆｏｌｄ  ｆｏｒ  ｃａｒｔｉｌａｇｅ  ｔｉｓｓｕｅ  ｅｎｇｉｎｅｅｒｉｎｇ  ｕｓｉｎｇ  ｈｕｍａｎ  ｍｅｓｅｎｃｈｙｍａｌ  ｓｔｅｍ  ｃｅｌｌｓ"（Ｆｅｂｒｕａｒｙ  ２００５）Ｂｉｏｍａｔｅｒｉａｌｓ  ２６（６）：５９９−６０９．
（非特許文献１１３）  ＬＩ  ｅｔ  ａｌ．"Ｂｉｏｌｏｇｉｃａｌ  ｒｅｓｐｏｎｓｅ  ｏｆ  ｃｈｏｎｄｒｏｃｙｔｅｓ  ｃｕｌｔｕｒｅｄ  ｉｎ  ｔｈｒｅｅ−ｄｉｍｅｎｓｉｏｎａｌ  ｎａｎｏｆｉｂｒｏｕｓ  ｐｏｌｙ（ε−ｃａｐｒｏｌａｃｔｏｎｅ）  ｓｃａｆｆｏｌｄｓ"（Ｄｅｃｅｍｂｅｒ  １５，  ２００３）Ｊｏｕｒｎａｌ  ｏｆ  Ｂｉｏｍｅｄｉｃａｌ  Ｍａｔｅｒｉａｌｓ  Ｒｅｓｅａｒｃｈ  Ｐａｒｔ  Ａ  ６７Ａ（４）：１１０５−１１１４．
（非特許文献１１４）  ＬＩ  ｅｔ  ａｌ．"Ｅｌｅｃｔｒｏｓｐｉｎｎｉｎｇ  ｎａｎｏｆｉｂｅｒｓ  ａｓ  ｕｎｉａｘｉａｌｌｙ  ａｌｉｇｎｅｄ  ａｒｒａｙｓ  ａｎｄ  ｌａｙｅｒ−ｂｙ−ｌａｙｅｒ  ｓｔａｃｋｅｄ  ｆｉｌｍｓ"（Ｆｅｂｒｕａｒｙ  ２００４）Ａｄｖａｎｃｅｄ  Ｍａｔｅｒｉａｌｓ  １６（４）：３６１−３６６．  
（非特許文献１１５）  ＬＩ  ｅｔ  ａｌ．"Ｍｕｌｔｉｌｉｎｅａｇｅ  ｄｉｆｆｅｒｅｎｔｉａｔｉｏｎ  ｏｆ  ｈｕｍａｎ  ｍｅｓｅｎｃｈｙｍａｌ  ｓｔｅｍ  ｃｅｌｌｓ  ｉｎ  ａ  ｔｈｒｅｅ−ｄｉｍｅｎｓｉｏｎａｌ  ｎａｎｏｆｉｂｒｏｕｓ  ｓｃａｆｆｏｌｄ"（Ｓｅｐｔｅｍｂｅｒ  ２００５）Ｂｉｏｍａｔｅｒｉａｌｓ  ２６（２５）：５１５８−５１６６．
（非特許文献１１６）  ＬＩＡＮＧ  ｅｔ  ａｌ．"Ｄｅｖｅｌｏｐｉｎｇ  ｇｏｓｓｙｐｏｌ  ｄｅｒｉｖａｔｉｖｅｓ  ｗｉｔｈ  ｅｎｈａｎｃｅｄ  ａｎｔｉｔｕｍｏｒ  ａｃｔｉｖｉｔｙ"（１９９５）Ｉｎｖｅｓｔｉｇａｔｉｏｎａｌ  Ｎｅｗ  Ｄｒｕｇｓ  １３（３）：１８１−１８６．
（非特許文献１１７）  ＬＩＥＢＬＥＩＮ  ｅｔ  ａｌ．"ＳＴＡＴ３  ｃａｎ  ｂｅ  ａｃｔｉｖａｔｅｄ  ｔｈｒｏｕｇｈ  ｐａｒａｃｒｉｎｅ  ｓｉｇｎａｌｉｎｇ  ｉｎ  ｂｒｅａｓｔ  ｅｐｉｔｈｅｌｉａｌ  ｃｅｌｌｓ"（２００８）ＢＭＣ  Ｃａｎｃｅｒ  ８（３０２）：１−１４  ：３０２．
（非特許文献１１８）  ＬＩＮ  ｅｔ  ａｌ．，"Ｓｍａｌｌ−ｃａｌｉｂｅｒ  ｈｅｐａｒｉｎ−ｃｏａｔｅｄ  ｅＰＴＦＥ  ｇｒａｆｔｓ  ｒｅｄｕｃｅ  ｐｌａｔｅｌｅｔ  ｄｅｐｏｓｉｔｉｏｎ  ａｎｄ  ｎｅｏｉｎｔｉｍａｌ  ｈｙｐｅｒｐｌａｓｉａ  ｉｎ  ａ  ｂａｂｏｏｎ  ｍｏｄｅｌ"（２００４）Ｊｏｕｒｎａｌ  ｏｆ  Ｖａｓｃｕｌａｒ  Ｓｕｒｇｅｒｙ，  ３９（６）：１３２２−１３２８．
（非特許文献１１９）  ＬＩＮ  ｅｔ  ａｌ．，"Ｅｖａｌｕａｔｉｏｎ  ｏｆ  ｐｌａｔｅｌｅｔ  ｄｅｐｏｓｉｔｉｏｎ  ａｎｄ  ｎｅｏｉｎｔｉｍａｌ  ｈｙｐｅｒｐｌａｓｉａ  ｏｆ  ｈｅｐａｒｉｎ−ｃｏａｔｅｄ  ｓｍａｌｌ−ｃａｌｉｂｅｒ  ｅＰＴＦＥ  ｇｒａｆｔｓ  ｉｎ  ａ  ｃａｎｉｎｅ  ｆｅｍｏｒａｌ  ａｒｔｅｒｙ  ｂｙｐａｓｓ  ｍｏｄｅｌ"（２００４）Ｊｏｕｒｎａｌ  ｏｆ  Ｓｕｒｇｉｃａｌ  Ｒｅｓｅａｒｃｈ，１１８（１）：４５−５２．
（非特許文献１２０）  ＬＩＵ  ｅｔ  ａｌ．"Ｆｕｎｃｔｉｏｎ  ａｎａｌｙｓｉｓ  ｏｆ  ｅｓｔｒｏｇｅｎｉｃａｌｌｙ  ｒｅｇｕｌａｔｅｄ  ｐｒｏｔｅｉｎ  ｔｙｒｏｓｉｎｅ  ｐｈｏｓｐｈａｔａｓｅ  γ（ＰＴＰγ）ｉｎ  ｈｕｍａｎ  ｂｒｅａｓｔ  ｃａｎｃｅｒ  ｃｅｌｌ  ｌｉｎｅ  ＭＣＦ−７"（２００４）Ｏｎｃｏｇｅｎｅ  ２３（６）：１２５６−１２６２．
（非特許文献１２１）ＬＩＵ  ｅｔ  ａｌ．"Ｉｎｖｏｌｖｅｍｅｎｔ  ｏｆ  ｂｒｅａｓｔ  ｅｐｉｔｈｅｌｉａｌ−ｓｔｒｏｍａｌ  ｉｎｔｅｒａｃｔｉｏｎｓ  ｉｎ  ｔｈｅ  ｒｅｇｕｌａｔｉｏｎ  ｏｆ  ｐｒｏｔｅｉｎ  ｔｙｒｏｓｉｎｅ  ｐｈｏｓｐｈａｔａｓｅ−γ（ＰＴＰγ）ｍＲＮＡ  ｅｘｐｒｅｓｓｉｏｎ  ｂｙ  ｅｓｔｒｏｇｅｎｉｃａｌｌｙ  ａｃｔｉｖｅ  ａｇｅｎｔｓ"（２００２）Ｂｒｅａｓｔ  Ｃａｎｃｅｒ  Ｒｅｓｅａｒｃｈ  ａｎｄ  Ｔｒｅａｔｍｅｎｔ  ７１（１）：２１−３５．
（非特許文献１２２）  ＬＩＵ  ｅｔ  ａｌ．"Ｔｈｅ（−）−ｅｎａｎｔｉｏｍｅｒ  ｏｆ  ｇｏｓｓｙｐｏｌ  ｐｏｓｓｅｓｓｅｓ  ｈｉｇｈｅｒ  ａｎｔｉｃａｎｃｅｒ  ｐｏｔｅｎｃｙ  ｔｈａｎ  ｒａｃｅｍｉｃ  ｇｏｓｓｙｐｏｌ  ｉｎ  ｈｕｍａｎ  ｂｒｅａｓｔ  ｃａｎｃｅｒ：（２００２）Ａｎｔｉｃａｎｃｅｒ  Ｒｅｓｅａｒｃｈ  ２２（１Ａ）：３３−３８．
（非特許文献１２３）  ＬＩＵ  ｅｔ  ａｌ．"Ｔｒａｎｓｆｏｒｍａｔｉｏｎ  ｏｆ  ＭＣＦ−１０Ａ  Ｈｕｍａｎ  Ｂｒｅａｓｔ  Ｅｐｉｔｈｅｌｉａｌ  Ｃｅｌｌｓ  ｂｙ  Ｚｅｒａｎｏｌ  ａｎｄ  Ｅｓｔｒａｄｉｏｌ−１７ｂｅｔａ"（Ｎｏｖｅｍｂｅｒ−Ｄｅｃｅｍｂｅｒ  ２００４）Ｂｒｅａｓｔ  Ｊ．１０（６）：５１４−５２１（Ａｂｓｔｒａｃｔ  ｏｎｌｙ）．
（非特許文献１２４）  ＬＯ  ｅｔ  ａｌ．"Ｃｅｌｌ  ｍｏｖｅｍｅｎｔ  ｉｓ  ｇｕｉｄｅｄ  ｂｙ  ｔｈｅ  ｒｉｇｉｄｉｔｙ  ｏｆ  ｔｈｅ  ｓｕｂｓｔｒａｔｅ"（Ｊｕｌｙ  ２０００）Ｂｉｏｐｈｙｓｉｃａｌ  Ｊｏｕｒｎａｌ  ７９（１）；１４４−１５２．
（非特許文献１２５）  ＬＵＵ  ｅｔ  ａｌ．"Ｄｅｖｅｌｏｐｍｅｎｔ  ｏｆ  ａ  ｎａｎｏｓｔｒｕｃｔｕｒｅｄ  ＤＮＡ  ｄｅｌｉｖｅｒｙ  ｓｃａｆｆｏｌｄ  ｖｉａ  ｅｌｅｃｔｒｏｓｐｉｎｎｉｎｇ  ｏｆ  ＰＬＧＡ  ａｎｄ  ＰＬＧＡ  ａｎｄ  ＰＬＡ−ＰＥＧ  ｂｌｏｃｋ  ｃｏｐｏｌｙｍｅｒｓ"（Ａｐｒｉｌ  ２９，２００３）Ｊｏｕｒｎａｌ  ｏｆ  Ｃｏｎｔｒｏｌｌｅｄ  Ｒｅｌｅａｓｅ  ８９（２）：３４１−３５３．
（非特許文献１２６）  ＭＡＣＣＨＩＡＲＩＮＩ  ｅｔ  ａｌ．"Ｃｌｉｎｉｃａｌ  Ｔｒａｎｓｐｌａｎｔａｔｉｏｎ  ｏｆ  ａ  Ｔｉｓｓｕｅ−Ｅｎｇｉｎｅｅｒｅｄ  Ａｉｒｗａｙ"（Ｄｅｃｅｍｂｅｒ  １３，２００８）Ｔｈｅ  Ｌａｎｃｅｔ  ３７２（９６５５）：２０２３−２０３０．
（非特許文献１２７）  ＭＡＲＥＬＬＩ  ｅｔ  ａｌ．，"Ｃｏｍｐｌｉａｎｔ  ｅｌｅｃｔｒｏｓｐｕｎ  ｓｉｌｋ  ｆｉｂｒｏｉｎ  ｔｕｂｅｓ  ｆｏｒ  ｓｍａｌｌ  ｖｅｓｓｅｌ  ｂｙｐａｓｓ  ｇｒａｆｔｉｎｇ"（２０１０）Ａｃｔａ  Ｂｉｏｍａｔｅｒｉａｌｉａ，６（１０）：４０１９−４０２６．
（非特許文献１２８）  ＭＡＲＴＩＮＳ  ｅｔ  ａｌ．"Ｅｌｅｃｔｒｏｓｐｕｎ  ｎａｎｏｓｔｒｕｃｔｕｒｅｄ  ｓｃａｆｆｏｌｄｓ  ｆｏｒ  ｔｉｓｓｕｅ  ｅｎｇｉｎｅｅｒｉｎｇ  ａｐｐｌｉｃａｔｉｏｎｓ"（２００７）Ｎａｎｏｍｅｄｉｃａｌ  ２（６）：９２９−９４２．
（非特許文献１２９）  ＭＡＴＨＥＷＳ，"Ｐｒｅｐａｒａｔｉｏｎ  ａｎｄ  ａｎｉｓｏｔｒｏｐｉｃ  ｍｅｃｈａｎｉｃａｌ  ｂｅｈａｖｉｏｒ  ｏｆ  ｈｉｇｈｌｙ−ｏｒｉｅｎｔｅｄ  ｅｌｅｃｔｒｏｓｐｕｎ  ｐｏｌｙ（ｂｕｔｙｌｅｎｅ  ｔｅｒｅｐｈｔｈａｌａｔｅ）ｆｉｂｅｒｓ"（Ａｕｇｕｓｔ  ２００６）Ｊｏｕｒｎａｌ  ｏｆ  Ａｐｐｌｉｅｄ  Ｐｏｌｙｍｅｒ  Ｓｃｉｅｎｃｅ  １０１（３）：２０１７−２０２１
（非特許文献１３０）  ＭｃＣＡＬＬＩＳＴＥＲ  ｅｔ  ａｌ．，"Ｅｆｆｅｃｔｉｖｅｎｅｓｓ  ｏｆ  ｈａｅｍｏｄｉａｌｙｓｉｓ  ａｃｃｅｓｓ  ｗｉｔｈ  ａｎ  ａｕｔｏｌｏｇｏｕｓ  ｔｉｓｓｕｅ−ｅｎｇｉｎｅｅｒｅｄ  ｖａｓｃｕｌａｒ  ｇｒａｆｔ：ａ  ｍｕｌｔｉｃｅｎｔｒｅ  ｃｏｈｏｒｔ  ｓｔｕｄｙ"（２００９）Ｌａｎｃｅｔ，３７３（９６７３）：１４４０−１４４６．
（非特許文献１３１）  ＭｃＣＬＵＲＥ  ｅｔ  ａｌ．，"Ｅｌｅｃｔｒｏｓｐｉｎｎｉｎｇ−ａｌｉｇｎｅｄ  ａｎｄ  ｒａｎｄｏｍ  ｐｏｌｙｄｉｏｘａｎｏｎｅ−ｐｏｌｙｃａｐｒｏｌａｃｔｏｎｅ−ｓｉｌｋ  ｆｉｂｒｏｉｎ−ｂｌｅｎｄｅｄ  ｓｃａｆｆｏｌｄｓ：ｇｅｏｍｅｔｒｙ  ｆｏｒ  ａ  ｖａｓｃｕｌａｒ  ｍａｔｒｉｘ"（２００９）Ｂｉｏｍｅｄｉｃａｌ  Ｍａｔｅｒｉａｌｓ，４（５）．
（非特許文献１３２）  ＭｃＣＬＵＲＥ  ｅｔ  ａｌ．"Ａ  Ｔｈｒｅｅ−Ｌａｙｅｒｅｄ  Ｅｌｅｃｔｒｏｓｐｕｎ  Ｍａｔｒｉｘ  ｔｏ  Ｍｉｍｉｃ  Ｎａｔｉｖｅ  Ａｒｔｅｒｉａｌ  Ａｒｃｈｉｔｅｃｔｕｒｅ  Ｕｓｉｎｇ  Ｐｏｌｙｃａｐｒｏｌａｃｔｏｎｅ，  Ｅｌａｓｔｉｎ，ａｎｄ  Ｃｏｌｌａｇｅｎ：Ａ  Ｐｒｅｌｉｍｉｎａｒｙ  Ｓｔｕｄｙ"２０１０，Ａｃｔａ  Ｂｉｏｍａｔｅｒｉａｌｉａ  ６：２４２２−２４３３．
（非特許文献１３３）  ＭｃＫＥＥ  ｅｔ  ａｌ．，"Ｈｕｍａｎ  ａｒｔｅｒｉｅｓ  ｅｎｇｉｎｅｅｒｅｄ  ｉｎ  ｖｉｔｒｏ"（２００３）ＥＭＢＯ  Ｒｅｐ，４（６）：６３３−８．
（非特許文献１３４）  ＭＩＲＥＮＳＫＹ  ｅｔ  ａｌ．，"Ｔｉｓｓｕｅ−ｅｎｇｉｎｅｅｒｅｄ  ａｒｔｅｒｉａｌ  ｇｒａｆｔｓ：  ｌｏｎｇ−ｔｅｒｍ  ｒｅｓｕｌｔｓ  ａｆｔｅｒ  ｉｍｐｌａｎｔａｔｉｏｎ  ｉｎ  ａ  ｓｍａｌｌ  ａｎｉｍａｌ  ｍｏｄｅｌ"（２００９）Ｊｏｕｒｎａｌ  ｏｆ  Ｐｅｄｉａｔｒｉｃ  Ｓｕｒｇｅｒｙ，４４（６）：ｐ．１１２７−１１３３．
（非特許文献１３５）  ＭＯＲＡＷＳＫＩ  ｅｔ  ａｌ．"Ｐｅｒｉｎｅｕｒｏｎａｌ  ｎｅｔｓ  ｐｏｔｅｎｔｉａｌｌｙ  ｐｒｏｔｅｃｔ  ａｇａｉｎｓｔ  ｏｘｉｄａｔｉｖｅ  ｓｔｒｅｓｓ"（Ａｕｇｕｓｔ  ２００４）Ｅｘｐ．Ｎｅｕｒｏｌ．１８８（２）：３０９−３１５．
（非特許文献１３６）  ＭＯＲＧＥＮＳＴＥＲＮ  ｅｔ  ａｌ．"Ｃｈｏｎｄｒｏｉｔｉｎ  ｓｕｌｐｈａｔｅ  ｐｒｏｔｅｏｇｌｙｃａｎｓ  ｉｎ  ｔｈｅ  ＣＮＳ  ｉｎｊｕｒｙ  ｒｅｓｐｏｎｓｅ"（２００２）Ｐｒｏｇ．Ｂｒａｉｎ  Ｒｅｓ．１３７：３１３−３３２．
（非特許文献１３７）  ＭＯＲＩ  ｅｔ  ａｌ．"Ｆｉｂｒｏｃｙｔｅｓ  ｃｏｎｔｒｉｂｕｔｅ  ｔｏ  ｔｈｅ  ｍｙｏｆｉｂｒｏｂｌａｓｔ  ｐｏｐｕｌａｔｉｏｎ  ｉｎ  ｗｏｕｎｄｅｄ  ｓｋｉｎ  ａｎｄ  ｏｒｉｇｉｎａｔｅ  ｆｒｏｍ  ｔｈｅ  ｂｏｎｅ  ｍａｒｒｏｗ"（Ｍａｒｃｈ  １０，  ２００５）  Ｅｘｐｅｒｉｍｅｎｔａｌ  Ｃｅｌｌ  Ｒｅｓｅａｒｃｈ  ３０４（１）：８１−９０．
（非特許文献１３８）  ＭＵＲＲＡＹ  ｅｔ  ａｌ．"Ｈｙｐｅｒ−ｒｅｓｐｏｎｓｉｖｅｎｅｓｓ  ｏｆ  ＩＰＦ／ＵＩＰ  ｆｉｂｒｏｂｌａｓｔｓ：  Ｉｎｔｅｒｐｌａｙ  ｂｅｔｗｅｅｎ  ＴＧＦ  β１，ＩＬ−１３  ａｎｄ  ＣＣＬ２"（２００８）４０（１０）：２１７４−２１８２．
（非特許文献１３９）  ＮＡＩＴＯ  ｅｔ  ａｌ．，"Ｃｈａｒａｃｔｅｒｉｚａｔｉｏｎ  ｏｆ  ｔｈｅ  Ｎａｔｕｒａｌ  Ｈｉｓｔｏｒｙ  ｏｆ  Ｅｘｔｒａｃｅｌｌｕｌａｒ  Ｍａｔｒｉｘ  Ｐｒｏｄｕｃｔｉｏｎ  ｉｎ  Ｔｉｓｓｕｅ−Ｅｎｇｉｎｅｅｒｅｄ  Ｖａｓｃｕｌａｒ  Ｇｒａｆｔｓ  ｄｕｒｉｎｇ  Ｎｅｏｖｅｓｓｅｌ  Ｆｏｒｍａｔｉｏｎ"（２０１２）Ｃｅｌｌｓ  Ｔｉｓｓｕｅｓ  Ｏｒｇａｎｓ，１９５（１−２）：６０−７２．
（非特許文献１４０）  ＮＡＭ  ｅｔ  ａｌ．"Ｉｍｐｒｏｖｅｄ  Ｃｅｌｌｕｌａｒ  Ｉｎｆｉｌｔｒａｔｉｏｎ  ｉｎ  Ｅｌｅｃｔｒｏｓｐｕｎ  Ｆｉｂｅｒ  ｖｉａ  Ｅｎｇｉｎｅｅｒｅｄ  Ｐｏｒｏｓｉｔｙ"（Ｓｅｐｔｅｍｂｅｒ  ２００７）Ｔｉｓｓｕｅ  Ｅｎｇｉｎｅｅｒｉｎｇ  １３（９）：２２４９−２２５７．
（非特許文献１４１）ＮＡＭ  ｅｔ  ａｌ．"Ｍａｔｅｒｉａｌｓ  ｓｅｌｅｃｔｉｏｎ  ａｎｄ  ｒｅｓｉｄｕａｌ  ｓｏｌｖｅｎｔ  ｒｅｔｅｎｔｉｏｎ  ｉｎ  ｂｉｏｄｅｇｒａｄａｂｌｅ  ｅｌｅｃｔｒｏｓｐｕｎ  ｆｉｂｅｒｓ"（Ｆｅｂｒｕａｒｙ  ５，２００８）Ｊｏｕｒｎａｌ  ｏｆ  Ａｐｐｌｉｅｄ  Ｐｏｌｙｍｅｒ  Ｓｃｉｅｎｃｅ  １０７（３）：１５４７−１５２４．
（非特許文献１４２）  ＮＡＭ  ｅｔ  ａｌ．"Ｍｏｄｕｌａｔｉｏｎ  ｏｆ  Ｅｍｂｒｙｏｎｉｃ  Ｍｅｓｅｎｃｈｙｍａｌ  Ｐｒｏｇｅｎｉｔｏｒ  Ｃｅｌｌ  Ｄｉｆｆｅｒｅｎｔｉａｔｉｏｎ  ｖｉａ  Ｃｏｎｔｒｏｌ  Ｏｖｅｒ  Ｐｕｒｅ  Ｍｅｃｈａｎｉｃａｌ  Ｍｏｄｕｌｕｓ  ｉｎ  Ｅｌｅｃｔｒｏｓｐｕｎ  Ｎａｎｏｆｉｂｅｒｓ"（Ａｐｒｉｌ  ２０１１）Ａｃｔａ  Ｂｉｏｍａｔｅｒｉａｌｉａ  ７（４）：１５１６-１５２４．
（非特許文献１４３）  ＮＡＭ  ｅｔ  ａｌ．"Ｎｏｖｅｌ  Ｅｌｅｃｔｒｏｓｐｕｎ  Ｓｃａｆｆｏｌｄｓ  ｆｏｒ  ｔｈｅ  Ｍｏｌｅｃｕｌａｒ  Ａｎａｌｙｓｉｓ  ｏｆ  Ｃｈｏｎｄｒｏｃｙｔｅｓ  Ｕｎｄｅｒ  Ｄｙｎａｍｉｃ  Ｃｏｍｐｒｅｓｓｉｏｎ"２００９，Ｔｉｓｓｕｅ  Ｅｎｇｉｎｅｅｒｉｎｇ  Ｐａｒｔ  Ａ  １５（３）：５１３−５２３．
（非特許文献１４４）  ＮＩＫＬＡＳＯＮ  ｅｔ  ａｌ．，"Ｆｕｎｃｔｉｏｎａｌ  ａｒｔｅｒｉｅｓ  ｇｒｏｗｎ  ｉｎ  ｖｉｔｒｏ．Ｓｃｉｅｎｃｅ"（１９９９）２８４（５４１３）：４８９−４９３．
（非特許文献１４５）  ＮＩＮＯＭＩＹＡ  ｅｔ  ａｌ．"Ｔｒａｎｓｆｏｒｍｉｎｇ  Ｇｒｏｗｔｈ  Ｆａｃｔｏｒ−β  Ｓｉｇｎａｌｉｎｇ  Ｅｎｈａｎｃｅｓ  Ｔｒａｎｓｄｉｆｆｅｒｅｎｔｉａｔｉｏｎ  ｏｆ  Ｍａｃｒｏｐｈａｇｅｓ  ｉｎｔｏ  Ｓｍｏｏｔｈ  Ｍｕｓｃｌｅ−Ｌｉｋｅ  Ｃｅｌｌｓ"（２００６）Ｈｙｐｅｒｔｅｎｓｉｏｎ  Ｒｅｓｅａｒｃｈ    ２９（４）：２６９−２７６．
（非特許文献１４６）  ＮＯＲＴＯＮ  ｅｔ  ａｌ．"Ｍｙｅｌｉｎａｔｉｏｎ  ｉｎ  ｒａｔ  ｂｒａｉｎ：ｍｅｔｈｏｄ  ｏｆ  ｍｙｅｌｉｎ  ｉｓｏｌａｔｉｏｎ"（Ｏｃｔｏｂｅｒ  １９７３）Ｊ．Ｎｅｕｒｏｃｈｅｍ．２１（４）：７４９−７５７．
（非特許文献１４７）  ＮＯＶＡＫ  ｅｔ  ａｌ．"Ｅｘｔｒａｃｅｌｌｕｌａｒ  ｍａｔｒｉｘ  ａｎｄ  ｔｈｅ  ｂｒａｉｎ：ｃｏｍｐｏｎｅｎｔｓ  ａｎｄ  ｆｕｎｃｔｉｏｎ"（２０００）Ｊ．Ｃｌｉｎ．Ｎｅｕｒｏｓｃｉ．７（４）：２８０−２９０．
（非特許文献１４８）  ＯＨＮＩＳＨＩ  ｅｔ  ａｌ．"Ａ  Ｎｏｖｅｌ  Ｍｏｄｅｌ  ｏｆ  Ｇｌｉｏｍａ  Ｃｅｌｌ  Ｉｎｖａｓｉｏｎ  Ｕｓｉｎｇ  Ｏｒｇａｎｏｔｙｐｉｃ  Ｂｒａｉｎ  Ｓｌｉｃｅ  Ｃｕｌｔｕｒｅ"（Ｊｕｌｙ  １５，  １９９８）Ｃａｎｃｅｒ  Ｒｅｓ．５８：２９３５−２９４０．
（非特許文献１４９）  ＰＡＬＦＩ  ｅｔ  ａｌ．"Ｃｏｒｒｅｌａｔｉｏｎ  ｏｆ  ｉｎ  ｖｉｔｒｏ  ｉｎｆｉｌｔｒａｔｉｏｎ  ｗｉｔｈ  ｇｌｉｏｍａ  ｈｉｓｔｏｌｏｇｉｃａｌ  ｔｙｐｅ  ｉｎ  ｏｒｇａｎｏｔｙｐｉｃ  ｂｒａｉｎ  ｓｌｉｃｅｓ"（２００４）Ｂｒ．Ｊ．Ｃａｎｃｅｒ  ９１（４）：７４５−７５２．
（非特許文献１５０）  ＰＡＴＴＥＲＳＯＮ  ｅｔ  ａｌ．，"Ｔｉｓｓｕｅ−ｅｎｇｉｎｅｅｒｅｄ  ｖａｓｃｕｌａｒ  ｇｒａｆｔｓ  ｆｏｒ  ｕｓｅ  ｉｎ  ｔｈｅ  ｔｒｅａｔｍｅｎｔ  ｏｆ  ｃｏｎｇｅｎｉｔａｌ  ｈｅａｒｔ  ｄｉｓｅａｓｅ：  ｆｒｏｍ  ｔｈｅ  ｂｅｎｃｈ  ｔｏ  ｔｈｅ  ｃｌｉｎｉｃ  ａｎｄ  ｂａｃｋ  ａｇａｉｎ"（２０１２）Ｒｅｇｅｎｅｒａｔｉｖｅ  Ｍｅｄｉｃｉｎｅ，２０１２．７（３）：ｐ．４０９−４１９．
（非特許文献１５１）  ＰＥＣＫ  ｅｔ  ａｌ．，"Ｔｈｅ  Ｅｖｏｌｕｔｉｏｎ  ｏｆ  Ｖａｓｃｕｌａｒ  Ｔｉｓｓｕｅ  Ｅｎｇｉｎｅｅｒｉｎｇ  ａｎｄ  Ｃｕｒｒｅｎｔ  Ｓｔａｔｅ  ｏｆ  ｔｈｅ  Ａｒｔ"（２０１２）Ｃｅｌｌｓ  Ｔｉｓｓｕｅｓ  Ｏｒｇａｎｓ，１９５（１−２）：１４４−１５８．
（非特許文献１５２）  ＰＥＬＨＡＭ  ＪＲ．ｅｔ  ａｌ．"Ｃｅｌｌ  ｌｏｃｏｍｏｔｉｏｎ  ａｎｄ  ｆｏｃａｌ  ａｄｈｅｓｉｏｎｓ  ａｒｅ  ｒｅｇｕｌａｔｅｄ  ｂｙ  ｓｕｂｓｔｒａｔｅ  ｆｌｅｘｉｂｉｌｉｔｙ"（Ｄｅｃｅｍｂｅｒ  １９９７）ＰＮＡＳ  ＵＳＡ  ９４：１３６６１−１３６６５．
（非特許文献１５３）  ＰＨＡＭ  ｅｔ  ａｌ．，Ｅｌｅｃｔｒｏｓｐｉｎｎｉｎｇ  ｏｆ  Ｐｏｌｙｍｅｒｉｃ  Ｎａｎｏｆｉｂｅｒｓ  ｆｏｒ  Ｔｉｓｓｕｅ  Ｅｎｇｉｎｅｅｒｉｎｇ  Ａｐｐｌｉｃａｔｉｏｎｓ：Ａ  Ｒｅｖｉｅｗ，  Ｔｉｓｓｕｅ  Ｅｎｇｉｎｅｅｒｉｎｇ  （２００６），１２（５）：１１９７−１２１１．
（非特許文献１５４）  ＰＩＬＫＩＮＧＴＯＮ"Ｔｈｅ  ｐａｒａｄｏｘ  ｏｆ  ｎｅｏｐｌａｓｔｉｃ  ｇｌｉａｌ  ｃｅｌｌ  ｉｎｖａｓｉｏｎ  ｏｆ  ｔｈｅ  ｂｒａｉｎ  ａｎｄ  ａｐｐａｒｅｎｔ  ｍｅｔａｓｔａｔｉｃ  ｆａｉｌｕｒｅ"（１９９７）Ａｎｔｉｃａｎｃｅｒ  Ｒｅｓ．１７（６Ｂ）：４１０３−４１０５（Ａｂｓｔｒａｃｔ）．
（非特許文献１５５）  ＰＯＷＥＬＬ  ｅｔ  ａｌ．"ＥＤＣ  ｃｒｏｓｓ−ｌｉｎｋｉｎｇ  ｉｍｐｒｏｖｅｓ  ｓｋｉｎ  ｓｕｂｓｔｉｔｕｔｅ  ｓｔｒｅｎｇｔｈ  ａｎｄ  ｓｔａｂｉｌｉｔｙ"（２００６）Ｂｉｏｍａｔｅｒｉａｌｓ  ２７（３４）：  ５８２１−５８２７．
（非特許文献１５６）  ＰＲＥＳＴＷＩＣＨ  ｅｔ  ａｌ．，"Ｗｈａｔ  Ｉｓ  ｔｈｅ  Ｇｒｅａｔｅｓｔ  Ｒｅｇｕｌａｔｏｒｙ  Ｃｈａｌｌｅｎｇｅ  ｉｎ  ｔｈｅ  Ｔｒａｎｓｌａｔｉｏｎ  ｏｆ  Ｂｉｏｍａｔｅｒｉａｌｓ  ｔｏ  ｔｈｅ  Ｃｌｉｎｉｃ？"（２０１２）Ｓｃｉｅｎｃｅ  Ｔｒａｎｓｌａｔｉｏｎａｌ  Ｍｅｄｉｃｉｎｅ，４（１６０）．
（非特許文献１５７）  ＰＲＯＰＥＲＺＩ  ｅｔ  ａｌ．"Ｐｒｏｔｅｏｇｌｙｃａｎｓ  ａｎｄ  Ｂｒａｉｎ  Ｒｅｐａｉｒ"（Ｆｅｂｒｕａｒｙ  ２００４）Ｎｅｗｓ  Ｐｈｙｓｉｏｌ．Ｓｃｉ．１９：３３−３８．
（非特許文献１５８）  ＱＵＩＧＬＥＹ  ｅｔ  ａｌ．"Ｔｈｅ  ｒｅｌａｔｉｏｎｓｈｉｐ  ｂｅｔｗｅｅｎ  ｓｕｒｖｉｖａｌ  ａｎｄ  ｔｈｅ  ｅｘｔｅｎｔ  ｏｆ  ｔｈｅ  ｒｅｓｅｃｔｉｏｎ  ｉｎ  ｐａｔｉｅｎｔｓ  ｗｉｔｈ  ｓｕｐｒａｔｅｎｔｏｒｉａｌ  ｍａｌｉｇｎａｎｔ  ｇｌｉｏｍａｓ"（１９９１）Ｎｅｕｒｏｓｕｒｇｅｒｙ  ２９：３８５−３８９．
（非特許文献１５９）  ＱＵＩＮＴ  ｅｔ  ａｌ．，"Ａｌｌｏｇｅｎｅｉｃ  ｈｕｍａｎ  ｔｉｓｓｕｅ−ｅｎｇｉｎｅｅｒｅｄ  ｂｌｏｏｄ  ｖｅｓｓｅｌ"（２０１２）Ｊｏｕｒｎａｌ  ｏｆ  Ｖａｓｃｕｌａｒ  Ｓｕｒｇｅｒｙ，５５（３）：７９０−７９８．
（非特許文献１６０）  ＱＵＩＮＴ  ｅｔ  ａｌ．，"Ｄｅｃｅｌｌｕｌａｒｉｚｅｄ  ｔｉｓｓｕｅ−ｅｎｇｉｎｅｅｒｅｄ  ｂｌｏｏｄ  ｖｅｓｓｅｌ  ａｓ  ａｎ  ａｒｔｅｒｉａｌ  ｃｏｎｄｕｉｔ"（Ｐｒｏｃｅｅｄｉｎｇｓ  ｏｆ  ｔｈｅ  Ｎａｔｉｏｎａｌ  Ａｃａｄｅｍｙ  ｏｆ  Ｓｃｉｅｎｃｅｓ  ｏｆ  ｔｈｅ  Ｕｎｉｔｅｄ  Ｓｔａｔｅｓ  ｏｆ  Ａｍｅｒｉｃａ，２０１１．１０８（２２）：ｐ．  ９２１４−９２１９．
（非特許文献１６１）  ＲＡＯ"Ｍｏｌｅｃｕｌａｒ  ｍｅｃｈａｎｉｓｍｓ  ｏｆ  ｇｌｉｏｍａ  ｉｎｖａｓｉｖｅｎｅｓｓ：  ｔｈｅ  ｒｏｌｅ  ｏｆ  ｐｒｏｔｅａｓｅｓ"  （Ｊｕｌｙ  ２００３）  Ｎａｔｕｒｅ  Ｒｅｖｉｅｗｓ  Ｃａｎｃｅｒ  ３：４８９−５０１．  
（非特許文献１６２）  ＲＡＴＨ  ｅｔ  ａｌ．"Ｃｏｍｐｒｅｓｓｉｖｅ  Ｆｏｒｃｅｓ  Ｉｎｄｕｃｅ  Ｏｓｔｅｏｇｅｎｉｃ  Ｇｅｎｅ  Ｅｘｐｒｅｓｓｉｏｎ  ｉｎ  Ｃａｌｖａｒｉａｌ  Ｏｓｔｅｏｂｌａｓｔｓ"（２００８）Ｊｏｕｒｎａｌ  ｏｆ  Ｂｉｏｍｅｃｈａｎｉｃｓ  ４１（５）：１０９５−１１０３．
（非特許文献１６３）  ＲＡＵＣＨ  "Ｅｘｔｒａｃｅｌｌｕｌａｒ  ｍａｔｒｉｘ  ｃｏｍｐｏｎｅｎｔｓ  ａｓｓｏｃｉａｔｅｄ  ｗｉｔｈ  ｒｅｍｏｄｅｌｉｎｇ  ｐｒｏｃｅｓｓｅｓ  ｉｎ  ｂｒａｉｎ"（２００４）Ｃｅｌｌ  Ｍｏｌ．  Ｌｉｆｅ  Ｓｃｉ．  ６１：２０３１０２０４５．
（非特許文献１６４）  ＲＥＮＥＫＥＲ  ｅｔ  ａｌ．"Ｎａｎｏｍｅｔｒｅ  ｄｉａｍｅｔｅｒ  ｆｉｂｒｅｓ  ｏｆ  ｐｏｌｙｍｅｒ，  ｐｒｏｄｕｃｅｄ  ｂｙ  ｅｌｅｃｔｒｏｓｐｉｎｎｉｎｇ"（１９９６）Ｎａｎｏｔｅｃｈｎｏｌｏｇｙ  ７（３）：２１６−２２３．
（非特許文献１６５）  ＲＯＣＫＳ  ｅｔ  ａｌ．"ＡＤＡＭＴＳ−１  Ｍｅｔａｌｌｏｐｒｏｔｅｉｎａｓｅ  Ｐｒｏｍｏｔｅｓ  Ｔｕｍｏｒ  Ｄｅｖｅｌｏｐｍｅｎｔ  ｔｈｒｏｕｇｈ  ｔｈｅ  Ｉｎｄｕｃｔｉｏｎ  ｏｆ  ａ  Ｓｔｒｏｍａｌ  Ｒｅａｃｔｉｏｎ  Ｉｎ  ｖｉｖｏ"（２００８）Ｃａｎｃｅｒ  Ｒｅｓｅａｒｃｈ  ６８（２２）：９５４１−９５５０．
（非特許文献１６６）  ＲＯＧＥＲ  ｅｔ  ａｌ．，"Ｈｅａｒｔ  ｄｉｓｅａｓｅ  ａｎｄ  ｓｔｒｏｋｅ  ｓｔａｔｉｓｔｉｃｓ−−２０１２  ｕｐｄａｔｅ：  ａ  ｒｅｐｏｒｔ  ｆｒｏｍ  ｔｈｅ  Ａｍｅｒｉｃａｎ  Ｈｅａｒｔ  Ａｓｓｏｃｉａｔｉｏｎ"  （２０１２）  Ｃｉｒｃｕｌａｔｉｏｎ，  １２５（１）：ｅ２−ｅ２２０．
（非特許文献１６７）  ＲＯＨ  ｅｔ  ａｌ．，"Ｔｉｓｓｕｅ−ｅｎｇｉｎｅｅｒｅｄ  ｖａｓｃｕｌａｒ  ｇｒａｆｔｓ  ｔｒａｎｓｆｏｒｍ  ｉｎｔｏ  ｍａｔｕｒｅ  ｂｌｏｏｄ  ｖｅｓｓｅｌｓ  ｖｉａ  ａｎ  ｉｎｆｌａｍｍａｔｉｏｎ−ｍｅｄｉａｔｅｄ  ｐｒｏｃｅｓｓ  ｏｆ  ｖａｓｃｕｌａｒ  ｒｅｍｏｄｅｌｉｎｇ"（２０１０）Ｐｒｏｃｅｅｄｉｎｇｓ  ｏｆ  ｔｈｅ  Ｎａｔｉｏｎａｌ  Ａｃａｄｅｍｙ  ｏｆ  Ｓｃｉｅｎｃｅｓ  ｏｆ  ｔｈｅ  Ｕｎｉｔｅｄ  Ｓｔａｔｅｓ  ｏｆ  Ａｍｅｒｉｃａ，  １０７（１０）：４６６９−４６７４．
（非特許文献１６８）  ＲＯＳＡＭＯＮＤ  ｅｔ  ａｌ．，"Ｈｅａｒｔ  ｄｉｓｅａｓｅ  ａｎｄ  ｓｔｒｏｋｅ  ｓｔａｔｉｓｔｉｃｓ−−２００８  ｕｐｄａｔｅ：  ａ  ｒｅｐｏｒｔ  ｆｒｏｍ  ｔｈｅ  Ａｍｅｒｉｃａｎ  Ｈｅａｒｔ  Ａｓｓｏｃｉａｔｉｏｎ  Ｓｔａｔｉｓｔｉｃｓ  Ｃｏｍｍｉｔｔｅｅ  ａｎｄ  Ｓｔｒｏｋｅ  Ｓｔａｔｉｓｔｉｃｓ  Ｓｕｂｃｏｍｍｉｔｔｅｅ"（２００８）Ｃｉｒｃｕｌａｔｉｏｎ  １１７（４）：ｅ２５−１４６．
（非特許文献１６９）ＲＵＯＳＬＡＨＴＩ  "Ｂｒａｉｎ  ｅｘｔｒａｃｅｌｌｕｌａｒ  ｍａｔｒｉｘ"（１９９６）Ｇｌｙｃｏｂｉｏｌｏｇｈｙ  ６（５）：４８９−４９２．
（非特許文献１７０）  ＳＡＬＡＣＩＮＳＫＩ  ｅｔ  ａｌ．，"Ｔｈｅ  ｍｅｃｈａｎｉｃａｌ  ｂｅｈａｖｉｏｒ  ｏｆ  ｖａｓｃｕｌａｒ  ｇｒａｆｔｓ：ａ  ｒｅｖｉｅｗ"（２００１）Ｊ  Ｂｉｏｍａｔｅｒ  Ａｐｐｌ，２００１．１５（３）：２４１−７８．
（非特許文献１７１）  ＳＡＳＭＯＮＯ  ｅｔ  ａｌ．"Ａ  ｍａｃｒｏｐｈａｇｅ  ｃｏｌｏｎｙ−ｓｔｉｍｕｌａｔｉｎｇ  ｆａｃｔｏｒ  ｒｅｃｅｐｔｏｒ-ｇｒｅｅｎ  ｆｌｕｏｒｅｓｃｅｎｔ  ｐｒｏｔｅｉｎ  ｔｒａｎｓｇｅｎｅ  ｉｓ  ｅｘｐｒｅｓｓｅｄ  ｔｈｒｏｕｇｈｏｕｔ  ｔｈｅ  ｍｏｎｏｎｕｃｌｅａｒ  ｐｈａｇｏｃｙｔｅ  ｓｙｓｔｅｍ  ｏｆ  ｔｈｅ  ｍｏｕｓｅ"（２００３）Ｂｌｏｏｄ  １０１（３）：１１５５−１１６３．
（非特許文献１７２）  ＳＡＵＮＤＥＲＳ  ｅｔ  ａｌ．"Ｆｉｂｒｏｃｙｔｅ  ｌｏｃａｌｉｚａｔｉｏｎ  ｔｏ  ｔｈｅ  ａｉｒｗａｙ  ｓｍｏｏｔｈ  ｍｕｓｃｌｅ  ｉｓ  ａ  ｆｅａｔｕｒｅ  ｏｆ  ａｓｔｈｍａ"（Ｆｅｂｒｕａｒｙ  ２００９）Ｊｏｕｒｎａｌ  ｏｆ  Ａｌｌｅｒｇｙ  ａｎｄ  Ｃｌｉｎｉｃａｌ  Ｉｍｍｕｎｏｌｏｇｙ  １２３（２）：  ３７６−３８４．
（非特許文献１７３）  ＳＣＨＩＦＦＥＲ  ｅｔ  ａｌ．"Ｃｅｌｌ  ｐｒｏｌｉｆｅｒａｔｉｏｎ  ａｎｄ  ｉｎｖａｓｉｏｎ  ｉｎ  ｍａｌｉｇｎａｎｔ  ｇｌｉｏｍａｓ"（１９９７）Ａｎｔｉｃａｎｃｅｒ  Ｒｅｓｅａｒｃｈ  １７（１Ａ）：６１−６９  （Ａｂｓｔｒａｃｔ  ｏｎｌｙ）．
（非特許文献１７４）  ＳＣＨＭＩＤＴ  ｅｔ  ａｌ．"Ｉｄｅｎｔｉｆｉｃａｔｉｏｎ  ｏｆ  Ｃｉｒｃｕｌａｔｉｎｇ  Ｆｉｂｒｏｃｙｔｅｓ  ａｓ  Ｐｒｅｃｕｒｓｏｒｓ  ｏｆ  Ｂｒｏｎｃｈｉａｌ  Ｍｙｏｆｉｂｒｏｂｌａｓｔｓ  ｉｎ  Ａｓｔｈｍａ"（２００３）Ｊｏｕｒｎａｌ  ｏｆ  Ｉｍｍｕｎｏｌｏｇｙ  １７１（１）：３８０−３８９．
（非特許文献１７５）  ＳＨＡＷ  ｅｔ  ａｌ．，"Ｄｅｔｅｒｍｉｎａｎｔｓ  ｏｆ  ｃｏｒｏｎａｒｙ  ａｒｔｅｒｙ  ｃｏｍｐｌｉａｎｃｅ  ｉｎ  ｓｕｂｊｅｃｔｓ  ｗｉｔｈ  ａｎｄ  ｗｉｔｈｏｕｔ  ａｎｇｉｏｇｒａｐｈｉｃ  ｃｏｒｏｎａｒｙ  ａｒｔｅｒｙ  ｄｉｓｅａｓｅ"（２００２）Ｊｏｕｒｎａｌ  ｏｆ  ｔｈｅ  Ａｍｅｒｉｃａｎ  Ｃｏｌｌｅｇｅ  ｏｆ  Ｃａｒｄｉｏｌｏｇｙ，３９（１０）：１６３７−１６４３．
（非特許文献１７６）  ＳＨＩＮ  ｅｔ  ａｌ．"Ｃｏｎｔｒａｃｔｉｌｅ  ｃａｒｄｉａｃ  ｇｒａｆｔｓ  ｕｓｉｎｇ  ａ  ｎｏｖｅｌ  ｎａｎｏｆｉｂｒｏｕｓ  ｍｅｓｈ"（Ａｕｇｕｓｔ  ２００４）Ｂｉｏｍａｔｅｒｉａｌｓ  ２５（１７）：３７１７−３７２３．
（非特許文献１７７）  ＳＨＩＮ  ｅｔ  ａｌ．"Ｉｎ  Ｖｉｖｏ  Ｂｏｎｅ  Ｔｉｓｓｕｅ  Ｅｎｇｉｎｅｅｒｉｎｇ  Ｕｓｉｎｇ  Ｍｅｓｅｎｃｈｙｍａｌ  Ｓｔｅｍ  Ｃｅｌｌｓ  ｏｎ  ａ  Ｎｏｖｅｌ  Ｅｌｅｃｔｒｏｓｐｕｎ  Ｎａｎｏｆｉｂｒｏｕｓ  Ｓｃａｆｆｏｌｄ"（Ｊｕｌｙ  ９，  ２００４）Ｔｉｓｓｕｅ  Ｅｎｇｉｎｅｅｒｉｎｇ  １０（１−２）：３３−４１．
（非特許文献１７８）  ＳＩＥＢＥＮ  ｅｔ  ａｌ．"ＰＣＲ  ａｒｔｉｆａｃｔｓ  ｉｎ  ＬＯＨ  ａｎｄ  ＭＳＩ  ａｎａｌｙｓｉｓ  ｏｆ  ｍｉｃｒｏｄｉｓｓｅｃｔｅｄ  ｔｕｍｏｒ  ｃｅｌｌｓ"（Ｎｏｖｅｍｂｅｒ  ２０００）Ｈｕｍａｎ  Ｐａｔｈｏｌｏｇｙ  ３１（１１）：１４１４−１４１９．
（非特許文献１７９）  ＳＩＬＶＥＲ  ｅｔ  ａｌ．"Ｒｅｇｅｎｅｒａｔｉｏｎ  ｂｅｙｏｎｄ  ｔｈｅ  ｇｌｉａｌ  ｓｃａｒ"（Ｆｅｂｒｕａｒｙ  ２００４）Ｎａｔｕｒｅ  ５：１４６−１５６．
（非特許文献１８０）  ＳＰＡＧＮＵＯＬＯ  ａｎｄ  ＬＩＵ，"Ｆａｂｒｉｃａｔｉｏｎ  ａｎｄ  Ｄｅｇｒｅｄａｔｉｏｎ  ｏｆ  Ｅｌｅｃｔｒｏｓｐｕｎ  Ｓｃａｆｆｏｌｄｓ  ｆｒｏｍ  Ｌ−Ｔｙｒｏｓｉｎｅ−Ｂｓｅｄ  Ｐｏｌｙｕｒｅｔｈａｎｅ  Ｂｌｅｎｄｓ  ｆｏｒ  Ｔｉｓｓｕｅ  Ｅｎｇｉｎｅｅｒｉｎｇ  Ａｐｐｌｉｃａｔｉｏｎｓ"（Ｏｃｔｏｂｅｒ  ２７，  ２０１１）ＩＳＲＮ  Ｎａｎｏｔｅｃｈｎｏｌｏｇｙ，２０１２（２０１２）：１−１１．
（非特許文献１８１）  ＳＲＩＫＡＲ  ｅｔ  ａｌ．"Ｄｅｓｏｒｐｔｉｏｎ−ｌｉｍｉｔｅｄ  ｍｅｃｈａｎｉｓｍ  ｏｆ  ｒｅｌｅａｓｅ  ｆｒｏｍ  ｐｏｌｙｍｅｒ  ｎａｎｏｆｉｂｅｒｓ"（２００８）Ｌａｎｇｍｕｉｒ  ２４（３）：９６５−９７４．  
（非特許文献１８２）  ＳＴＥＩＮ  ｅｔ  ａｌ．"Ｅｓｔｉｍａｔｉｎｇ  ｔｈｅ  ｃｅｌｌ  ｄｅｎｓｉｔｙ  ａｎｄ  ｉｎｖａｓｉｖｅ  ｒａｄｉｕｓ  ｏｆ  ｔｈｒｅｅ−ｄｉｍｅｎｓｉｏｎａｌ  ｇｌｉｏｂｌａｓｔｏｍａ  ｔｕｍｏｒ  ｓｐｈｅｒｏｉｄｓ  ｇｒｏｗｎ  ｉｎ  ｖｉｔｒｏ"（Ａｕｇｕｓｔ  １，  ２００７）Ａｐｐｌｉｅｄ  Ｏｐｔｉｃｓ  ４６（２２）：５１１０−５１１８．  
（非特許文献１８３）  ＳＴＩＴＺＥＬ  ｅｔ  ａｌ．"Ｃｏｎｔｒｏｌｌｅｄ  Ｆａｂｒｉｃａｔｉｏｎ  ｏｆ  ａ  Ｂｉｏｌｏｇｉｃａｌ  Ｖａｓｃｕｌａｒ  Ｓｕｂｓｔｉｔｕｔｅ"２００６，Ｂｉｏｍａｔｅｒｉａｌｓ  ２７：１０８８−１０９４．
（非特許文献１８４）  ＳＵＢＲＡＭＡＮＩＡＮ  ｅｔ  ａｌ．"Ｍｅｔａｓｔａｓｉｓ  ｔｏ  ａｎｄ  ｆｒｏｍ  ｔｈｅ  ｃｅｎｔｒａｌ  ｎｅｒｖｏｕｓ  ｓｙｓｔｅｍ-ｔｈｅ'ｒｅｌａｔｉｖｅｌｙ  ｐｒｏｔｅｃｔｅｄ  ｓｉｔｅ'"（Ａｕｇｕｓｔ  ２００２）Ｔｈｅ    Ｌａｎｃｅｔ  Ｏｎｃｏｌｏｇｙ  ３（８）：４９８−５０７．
（非特許文献１８５）  ＳＷＡＮＳＯＮ  ｅｔ  ａｌ．"Ａ  ｑｕａｎｔｉｔａｔｉｖｅ  ｍｏｄｅｌ  ｆｏｒ  ｄｉｆｆｅｒｅｎｔｉａｌ  ｍｏｔｉｌｉｔｙ  ｏｆ  ｇｌｉｏｍａｓ  ｉｎ  ｇｒｅｙ  ａｎｄ  ｗｈｉｔｅ  ｍａｔｔｅｒ"（Ｏｃｔｏｂｅｒ  ２０００）Ｃｅｌｌ  Ｐｒｏｌｉｆｅｒａｔｉｏｎ  ３３（５）：３１７−３２９．
（非特許文献１８６）  ＳＷＡＮＳＯＮ  "Ｑｕａｎｔｉｆｙｉｎｇ  ｇｌｉｏｍａ  ｃｅｌｌ  ｇｒｏｗｔｈ  ａｎｄ  ｉｎｖａｓｉｏｎ  ｉｎ  ｖｉｔｒｏ"（２００８）  Ｍａｔｈｅｍａｔｉｃａｌ  ａｎｄ  Ｃｏｍｐｕｔｅｒ  Ｍｏｄｅｌｉｎｇ  ４７：６３８−６４８．
（非特許文献１８７）  ＴＥＯ  ｅｔ  ａｌ．"Ａ  ｒｅｖｉｅｗ  ｏｎ  ｅｌｅｃｔｒｏｓｐｉｎｎｉｎｇ  ｄｅｓｉｇｎ  ａｎｄ  ｎａｎｏｆｉｂｒｅ  ａｓｓｅｍｂｌｉｅｓ"（２００６）Ｎａｎｏｔｅｃｈｎｏｌｏｇｙ  １７（１４）：Ｒ８９−Ｒ１０６．
（非特許文献１８８）  ＴＥＯ  ｅｔ  ａｌ．"Ｅｌｅｃｔｒｏｓｐｕｎ  ｆｉｂｒｅ  ｂｕｎｄｌｅ  ｍａｄｅ  ｏｆ  ａｌｉｇｎｅｄ  ｎａｎｏｆｉｂｅｒｓ  ｏｖｅｒ  ｔｗｏ  ｆｉｘｅｄ  ｐｏｉｎｔｓ"（１９７８）Ｎａｎｏｔｅｃｈｎｏｌｏｇｙ  １６：１８７８−１８８４．
（非特許文献１８９）  ＴＨＯＭＡＳ  ｅｔ  ａｌ．"Ｅｆｆｅｃｔｓ  ｏｆ  ｇｏｓｓｙｐｏｌ  ｏｎ  ｔｈｅ  ｃｅｌｌ  ｃｙｃｌｅ  ｐｈａｓｅｓ  ｉｎ  Ｔ−４７Ｄ  ｈｕｍａｎ  ｂｒｅａｓｔ  ｃａｎｃｅｒ  ｃｅｌｌｓ"（Ｊｕｌｙ−Ａｕｇｕｓｔ  １９９１）Ａｎｔｉｃａｎｃｅｒ  Ｒｅｓｅａｒｃｈ  １１（４）：１４６９−１４７６  （Ａｂｓｔｒａｃｔ  ｏｎｌｙ）．
（非特許文献１９０）  ＴＯＭＩＺＡＷＡ  ａｎｄ  ＮＯＩＳＨＩＫＩ，"Ｅｖａｌｕａｔｉｏｎ  ａｎｄ  Ｐｅｒｆｏｒｍａｎｃｅ  Ｓｔａｎｄａｒｄｓ  ｆｏｒ  Ａｒｔｅｒｉａｌ  Ｐｒｏｓｔｈｅｓｅｓ"（１９９５）Ｊｏｕｒｎａｌ  ｏｆ  Ｖａｓｃｕｌａｒ  Ｓｕｒｇｅｒｙ，２１（３）：５４２−５４３．
（非特許文献１９１）  ＴＯＭＬＩＮＳＯＮ  ｅｔ  ａｌ．"Ｌｏｓｓ  ｏｆ  ｈｅｔｅｒｏｚｙｇｏｓｉｔｙ  ａｎａｌｙｓｉｓ：  Ｐｒａｃｔｉｃａｌｌｙ  ａｎｄ  ｃｏｎｃｅｐｔｕａｌｌｙ  ｆｌａｗｅｄ？"（２００２）Ｇｅｎｅｓ  Ｃｈｒｏｍｏｓｏｍｅｓ  &  Ｃａｎｃｅｒ  ３４：３４９−３５３．
（非特許文献１９２）  ＴＯＮＮ  ｅｔ  ａｌ．"Ｍｅｃｈａｎｉｓｍｓ  ｏｆ  ｇｌｉｏｍａ  ｃｅｌｌ  ｉｎｖａｓｉｏｎ"（２００３）Ａｃｔａ  Ｎｅｕｒｏｃｈｉｒ  Ｓｕｐｐｌ  ８８：１６３−１６７．
（非特許文献１９３）  ＴＯＯＬＥ"Ｈｙａｌｕｒｏｎａｎ  ａｎｄ  ｉｔｓ  ｂｉｎｄｉｎｇ  ｐｒｏｔｅｉｎｓ，ｔｈｅ  ｈｙａｌａｄｈｅｒｉｎｓ"（１９９０）Ｃｕｒｒ．Ｏｐｉｎ．Ｃｅｌｌ  Ｂｉｏｌ．２：８３９−８４４．
（非特許文献１９４）  ＴＳＥ，  ｅｔ  ａｌ．"Ｃｕｒｒｅｎｔ  Ｓｔａｔｕｓ  ｏｆ  Ｐｉｐｅｌｉｎｅ  Ｅｍｂｏｌｉｚａｔｉｏｎ  Ｄｅｖｉｃｅ  ｉｎ  ｔｈｅ  Ｔｒｅａｔｍｅｎｔ  ｏｆ  Ｉｎｔｒａｃｒａｎｉａｌ  Ａｎｅｕｒｙｓｍｓ：Ａ  ｒｅｖｉｅｗ"（Ｄｅｃｅｍｂｅｒ  ２０１３）Ｗｏｒｌｄ  Ｎｅｕｒｏｓｕｒｇｅｒｙ  ８０（６）：８２９−８３５．
（非特許文献１９５）  ＴＵＳＺＹＮＳＫＩ  ｅｔ  ａｌ．"Ｄｉｆｆｅｒｅｎｔｉａｌ  ｃｙｔｏｔｏｘｉｃ  ｅｆｆｅｃｔ  ｏｆ  ｇｏｓｓｙｐｏｌ  ｏｎ  ｈｕｍａｎ  ｍｅｌａｎｏｍａ，ｃｏｌｏｎ  ｃａｒｃｉｎｏｍａ，ａｎｄ  ｏｔｈｅｒ  ｔｉｓｓｕｅ  ｃｕｌｔｕｒｅ  ｃｅｌｌ  ｌｉｎｅｓ"（Ｆｅｂｒｕａｒｙ  １９８４）Ｃａｎｃｅｒ  Ｒｅｓｅａｒｃｈ  ４４（２）：７６８−７７１．
（非特許文献１９６）  ＶＡＮ  ＭＥＴＥＲ  ｅｔ  ａｌ．"Ｔｈｅ  ｒｏｌｅ  ｏｆ  ｍａｔｒｉｘ  ｍｅｔａｌｌｏｐｒｏｔｅｉｎａｓｅ  ｇｅｎｅｓ  ｉｎ  ｇｌｉｏｍａ  ｉｎｖａｓｉｏｎ：  ｃｏ−ｄｅｐｅｎｄｅｎｔ  ａｎｄ  ｉｎｔｅｒａｃｔｉｖｅ  ｐｒｏｔｅｏｌｙｓｉｓ"（２００１）Ｊｏｕｒｎａｌ  ｏｆ  Ｎｅｕｒｏ−Ｏｎｃｏｌｏｇｙ  ５３：２１３−２３５．
（非特許文献１９７）  ＶＥＬＥＶＡ  ｅｔ  ａｌ．，"Ｉｎｔｅｒａｃｔｉｏｎｓ  ｂｅｔｗｅｅｎ  ｅｎｄｏｔｈｅｌｉａｌ  ｃｅｌｌｓ  ａｎｄ  ｅｌｅｃｔｒｏｓｐｕｎ  ｍｅｔｈａｃｒｙｌｉｃ  ｔｅｒｐｏｌｙｍｅｒ  ｆｉｂｅｒｓ  ｆｏｒ  ｅｎｇｉｎｅｅｒｅｄ  ｖａｓｃｕｌａｒ  ｒｅｐｌａｃｅｍｅｎｔｓ"（２００９）Ｊｏｕｒｎａｌ  ｏｆ  Ｂｉｏｍｅｄｉｃａｌ  Ｍａｔｅｒｉａｌｓ  Ｒｅｓｅａｒｃｈ  Ｐａｒｔ  Ａ，９１Ａ（４）：ｐ．１１３１−１１３９．
（非特許文献１９８）  ＶＩＡＰＩＡＮＯ  ｅｔ  ａｌ．"ＢＥＨＡＢ／ｂｒｅｖｉｃａｎ  ｒｅｑｕｉｒｅｓ  ＡＤＡＭＴＳ−ｍｅｄｉａｔｅｄ  ｐｒｏｔｅｏｌｙｔｉｃ  ｃｌｅａｖａｇｅ  ｔｏ  ｐｒｏｍｏｔｅ  ｇｌｉｏｍａ  ｉｎｖａｓｉｏｎ"（２００８）Ｊ．Ｎｅｕｒｏｏｎｃｏｌ．  ８８：２６１−２７２．
（非特許文献１９９）  ＶＩＡＰＩＡＮＯ  ｅｔ  ａｌ．"Ｆｒｏｍ  ｂａｒｒｉｅｒｓ  ｔｏ  ｂｒｉｄｇｅｓ：  ｃｈｏｎｄｒｏｉｔｉｎ  ｓｕｌｆａｔｅ  ｐｒｏｔｅｏｇｌｙｃａｎｓ  ｉｎ  ｎｅｕｒｏｐａｔｈｏｌｏｇｙ"（Ｏｃｔｏｂｅｒ  ２００６）Ｔｒｅｎｄｓ  Ｍｏｌ．Ｍｅｄ．１２（１０）：４８８−４９６．
（非特許文献２００）  ＶＵＯＲＩＮＥＮ  ｅｔ  ａｌ．"Ｄｅｂｕｌｋｉｎｇ  ｏｒ  ｂｉｏｐｓｙ  ｏｆ  ｍａｌｉｇｎａｎｔ  ｇｌｉｏｍａ  ｉｎ  ｅｌｄｅｒｌｙ  ｐｅｏｐｌｅ−ａ  ａｎｄｏｍｉｚｅｄ  ｓｔｕｄｙ"（２００３）Ａｃｔａ  Ｎｅｕｒｏｃｈｉｒ．  １４５：５−１０．    
（非特許文献２０１）  ＷＡＮＧ  ｅｔ  ａｌ．"Ｃｏｎｊｕｇａｔｅｄ  Ｌｉｎｏｌｅｉｃ  Ａｃｉｄ（ＣＬＡ）Ｕｐ−ｒｅｇｕｌａｔｅｓ  ｔｈｅ  Ｅｓｔｒｏｇｅｎ−ｒｅｇｕｌａｔｅｄ  Ｃａｎｃｅｒ  Ｓｕｐｐｒｅｓｓｏｒ  Ｇｅｎｅ，  Ｐｒｏｔｅｉｎ  Ｔｙｒｏｓｉｎｅ  Ｐｈｏｓｐｈａｔａｓｅ  γ  ＰＴＰγ），ｉｎ  Ｈｕｍａｎ  Ｂｒｅａｓｔ  Ｃｅｌｌｓ"（２００６）Ａｎｔｉｃａｎｃｅｒ  Ｒｅｓｅａｒｃｈ  ２６（１Ａ）：２７−３４．
（非特許文献２０２）  ＷＡＮＧ  ｅｔ  ａｌ．"Ｅｆｆｅｃｔ  ｏｆ  ｇｏｓｓｙｐｏｌ  ｏｎ  ＤＮＡ  ｓｙｎｔｈｅｓｉｓ  ａｎｄ  ｃｅｌｌ  ｃｙｃｌｅ  ｐｒｏｇｒｅｓｓｉｏｎ  ｏｆ  ｍａｍｍａｌｉａｎ  ｃｅｌｌｓ  ｉｎ  ｖｉｔｒｏ"（Ｊａｎｕａｒｙ  １９８４）Ｃａｎｃｅｒ  Ｒｅｓｅａｒｃｈ  ４４（１）：３５−３８．
（非特許文献２０３）  ＷＡＮＧ  ｅｔ  ａｌ．"Ｎａｎｏｆｉｂｒｅｓ  ａｎｄ  ｔｈｅｉｒ  Ｉｎｆｌｕｅｎｃｅ  ｏｎ  Ｃｅｌｌｓ  ｆｏｒ  Ｔｉｓｓｕｅ  Ｒｅｇｅｎｅｒａｔｉｏｎ"（２００５）Ａｕｓｔ．Ｊ．Ｃｈｅｍ．５８（１０）：７０４−７１２．
（非特許文献２０４）  ＷＡＮＧ  ｅｔ  ａｌ．"Ｉｎｃｒｅａｓｅｄ  Ｃｉｒｃｕｌａｔｉｎｇ  Ｆｉｂｒｏｃｙｔｅｓ  ｉｎ  Ａｓｔｈｍａ  ｗｉｔｈ  Ｃｈｒｏｎｉｃ  Ａｉｒｆｌｏｗ  Ｏｂｓｔｒｕｃｔｉｏｎ"（２００８）Ａｍ．Ｊ．Ｒｅｓｐｉｒ．  Ｃｒｉｔ．Ｃａｒｅ  Ｍｅｄ．  １７８（６）：  ｐ．  ５８３−５９１．
（非特許文献２０５）  ＷＩＬＬＩＡＭＳ  ｅｔ  ａｌ．"Ａｎｔｉ−ｇｌｉｏｍａ  ｅｆｆｅｃｔｓ  ｏｆ  ｐｒｏｔｅｉｎ  ｋｉｎａｓｅ  ｉｎｈｉｂｉｔｏｒｓ  ｔｈａｔ  ｓｉｍｕｌｔａｎｅｏｕｓｌｙ  ｂｌｏｃｋ  ｉｎｖａｓｉｏｎ  ａｎｄ  ｐｒｏｌｉｆｅｒａｔｉｏｎ"（Ｏｃｔｏｂｅｒ  ２００７）Ａｂｓｔｒａｃｔｓ  ｆｒｏｍ  １２ｔｈ  Ａｎｎｕａｌ  Ｍｅｅｔｉｎｇ  ｏｆ  ｔｈｅ  Ｓｏｃｉｅｔｙ  ｆｏｒ  Ｎｅｕｒｏ−Ｏｎｃｏｌｏｇｙ  ９：４８６  ＥＴ−１８（Ａｂｓｔｒａｃｔ  ｏｎｌｙ）．
（非特許文献２０６）  ＷＵ  ｅｔ  ａｌ．"Ｖｅｒｓｉｃａｎ  ｐｒｏｔｅｃｔｓ  ｃｅｌｌｓ  ｆｒｏｍ  ｏｘｉｄａｔｉｖｅ  ｓｔｒｅｓｓ−ｉｎｄｕｃｅｄ  ａｐｏｐｔｏｓｉｓ"（Ｆｅｂｒｕａｒｙ  ２００５）Ｍａｔｒｉｘ  Ｂｉｏｌｏｇｙ  ２４（１）：３−１３．
（非特許文献２０７）  ＷＵ  ｅｔ  ａｌ．"Ａｎ  ｉｎ  ｖｉｔｒｏ  ａｎｄ  ｉｎ  ｖｉｖｏ  ｓｔｕｄｙ  ｏｆ  ａｎｔｉｔｕｍｏｒ  ｅｆｆｅｃｔｓ  ｏｆ  ｇｏｓｓｙｐｏｌ  ｏｎ  ｈｕｍａｎ  ＳＷ−１３  ａｄｒｅｎｏｃｏｒｔｉｃａｌ  ｃａｒｃｉｎｏｍａ"（１９８６）Ｃａｎｃｅｒ  Ｒｅｓｅａｒｃｈ  ４９（１４）：３７５４−３７５８．
（非特許文献２０８）  ＷＹＫＯＳＫＹ  ｅｔ  ａｌ．"Ｓｏｌｕｂｌｅ  ｍｏｎｏｍｅｒｉｃ  ＥｐｈｒｉｎＡ１  ｉｓ  ｒｅｌｅａｓｅｄ  ｆｒｏｍ  ｔｕｍｏｒ  ｃｅｌｌｓ  ａｎｄ  ｉｓ  ａ  ｆｕｎｃｔｉｏｎａｌ  ｌｉｇａｎｄ  ｆｏｒ  ｔｈｅ  ＥｐｈＡ２  ｒｅｃｅｐｔｏｒ"（２００８）Ｏｎｃｏｇｅｎｅ  ２７（５８）：７２６０−７２７３．
（非特許文献２０９）  ＸＩＥ  ｅｔ  ａｌ．"Ｅｎｃａｐｓｕｌａｔｉｏｎ  ｏｆ  ｐｒｏｔｅｉｎ  ｄｒｕｇｓ  ｉｎ  ｂｉｏｄｅｇｒａｄａｂｌｅ  ｍｉｃｒｏｐａｒｔｉｃｌｅｓ  ｂｙ  ｃｏ−ａｘｉａｌ  ｅｌｅｃｔｒｏｓｐｒａｙ"Ｊａｎｕａｒｙ  １５，  ２００８）Ｊｏｕｒｎａｌ  ｏｆ  Ｃｏｌｌｏｉｄ  ａｎｄ  Ｉｎｔｅｒｆａｃｅ  Ｓｃｉｅｎｃｅ  ３１７（２）：４６９−４７６．
（非特許文献２１０）  ＸＩＥ  ｅｔ  ａｌ．"Ｗｈｉｔｅ  ｍａｔｔｅｒ  ｉｎｈｉｂｉｔｏｒｓ  ｉｎ  ＣＮＳ  ａｘｏｎ  ｒｅｇｅｎｅｒａｔｉｏｎ  ｆａｉｌｕｒｅ"（Ｆｅｂｒｕａｒｙ  ２００７）Ｅｘｐ．  Ｎｅｕｒｏｌ．  ２０９（２）：３０２−３１２．
（非特許文献２１１）  ＹＡＭＡＧＵＣＨＩ"Ｌｅｃｔｉｃａｎｓ：  ｏｒｇａｎｉｚｅｒｓ  ｏｆ  ｔｈｅ  ｂｒａｉｎ  ｅｘｔｒａｃｅｌｌｕｌａｒ  ｍａｔｒｉｘ"    （２０００）Ｃｅｌｌ  Ｍｏｌ．Ｌｉｆｅ  Ｓｃｉ．５７：２７６−２８９．
（非特許文献２１２）  ＹＡＮＧ  ｅｔ  ａｌ．"Ｉｎｔｅｇｒｉｎ  α１β１  ａｎｄ  α２β１ａｒｅ  ｔｈｅ  ｋｅｙ  ｒｅｇｕｌａｔｏｒｓ  ｏｆ  ｈｅｐａｔｏｃａｒｃｉｎｏｍａ  ｃｅｌｌ  ｉｎｖａｓｉｏｎ  ａｃｒｏｓｓ  ｔｈｅ  ｆｉｂｒｏｔｉｃ  ｍａｔｒｉｘ  ｍｉｃｒｏｅｎｖｉｒｏｎｍｅｎｔ"（Ｄｅｃｅｍｂｅｒ  １，  ２００３）  Ｃａｎｃｅｒ  Ｒｅｓｅａｒｃｈ  ６３（２３）：  ８３１２−８３１７．
（非特許文献２１３）  ＹＯＯ  ｅｔ  ａｌ．"Ｓｕｒｆａｃｅ−Ｆｕｎｃｔｉｏｎａｌｉｚｅｄ  Ｅｌｅｃｔｒｏｓｐｕｎ  Ｎａｎｏｆｉｂｅｒｓ  ｆｏｒ  Ｔｉｓｓｕｅ  Ｅｎｇｉｎｅｅｒｉｎｇ  ａｎｄ  Ｄｒｕｇ  Ｄｅｌｉｖｅｒｙ"Ｊａｎｕａｒｙ  １，  ２００９，Ａｄｖａｎｃｅｄ  Ｄｒｕｇ  Ｄｅｌｉｖｅｒｙ  Ｒｅｖｉｅｗｓ  ６１：１０３３−１０４２．
（非特許文献２１４）  ＹＯＳＨＩＭＯＴＯ  ｅｔ  ａｌ．"Ａ  ｂｉｏｄｅｇｒａｄａｂｌｅ  ｎａｎｏｆｉｂｅｒ  ｓｃａｆｆｏｌｄ  ｂｙ  ｅｌｅｃｔｒｏｓｐｉｎｎｉｎｇ  ａｎｄ  ｉｔｓ  ｐｏｔｅｎｔｉａｌ  ｆｏｒ  ｂｏｎｅ  ｔｉｓｓｕｅ  ｅｎｇｉｎｅｅｒｉｎｇ"（Ｍａｙ  ２００３）Ｂｉｏｍａｔｅｒｉａｌｓ  ２４（１２）：２０７７−２０８２．
（非特許文献２１５）  ＹＵ  ｅｔ  ａｌ．"Ｐｒｏｄｕｃｔｉｏｎ  ｏｆ  ｓｕｂｍｉｃｒｏｍｅｔｅｒ  ｄｉａｍｅｔｅｒ  ｆｉｂｅｒｓ  ｂｙ  ｔｗｏ−ｆｌｕｉｄ  ｅｌｅｃｔｒｏｓｐｉｎｎｉｎｇ"（Ｓｅｐｔｅｍｂｅｒ  ２００４）Ａｄｖ．Ｍａｔｅｒ．１６（１７）：１５６２−１５６６．
（非特許文献２１６）  ＺＢＯＲＯＷＳＫＩ  ｅｔ  ａｌ．"Ｒｅｄ  ｂｌｏｏｄ  ｃｅｌｌ  ｍａｇｎｅｔｏｐｈｏｒｅｓｉｓ"  （Ａｐｒｉｌ  ２００３）  Ｂｉｏｐｈｙｓｉｃａｌ  Ｊｏｕｒｎａｌ  ８４：２６３８−２６４５．
（非特許文献２１７）  ＺＥＮＧ  ｅｔ  ａｌ．"Ｅｎｚｙｍａｔｉｃ  ｄｅｇｒａｄａｔｉｏｎ  ｏｆ  ｐｏｌｙ（Ｌ−ｌａｃｔｉｄｅ）  ａｎｄ  ｐｏｌｙ（ε−ｃａｐｒｏｌａｃｔｏｎｅ）  ｅｌｅｃｔｒｏｓｐｕｎ  ｆｉｂｅｒｓ"（Ｄｅｃｅｍｂｅｒ  １５，  ２００４）  Ｍａｃｒｏｍｏｌｅｃｕｌａｒ  Ｂｉｏｓｃｉｅｎｃｅ  ４（１２）：１１１８−１１２５．
（非特許文献２１８）  ＺＥＮＧ  ｅｔ  ａｌ．"Ｕｌｔｒａｆｉｎｅ  ｆｉｂｅｒｓ  ｅｌｅｃｔｒｏｓｐｕｎ  ｆｒｏｍ  ｂｉｏｄｅｇｒａｄａｂｌｅ  ｐｏｌｙｍｅｒｓ"（Ｊｕｌｙ  ２５，  ２００３）Ｊｏｕｒｎａｌ  ｏｆ  Ａｐｐｌｉｅｄ  Ｐｏｌｙｍｅｒ  Ｓｃｉｅｎｃｅ  ８９（４）：１０８５−１０９２．
（非特許文献２１９）  ＺＨＡＮＧ  ｅｔ  ａｌ．"Ｅｌｅｃｔｒｏｓｐｉｎｎｉｎｇ  ｏｆ  ｇｅｌａｔｉｎ  ｆｉｂｅｒｓ  ａｎｄ  ｇｅｌａｔｉｎ／ＰＣＬ  ｃｏｍｐｏｓｉｔｅ  ｆｉｂｒｏｕｓ  ｓｃａｆｆｏｌｄｓ"（２００５）Ｊ．Ｂｉｏｍｅｄ．  Ｍａｔｅｒ．Ｒｅｓ．Ｐａｒｔ  Ｂ：  Ａｐｐｌ．Ｂｉｏｍａｔｅｒ．７２Ｂ（１）：１５６−１６５．
（非特許文献２２０）  ＺＨＡＮＧ  ｅｔ  ａｌ．"Ｒｅｃｅｎｔ  ｄｅｖｅｌｏｐｍｅｎｔ  ｏｆ  ｐｏｌｙｍｅｒ  ｎａｎｏｆｉｂｅｒｓ  ｆｏｒ  ｂｉｏｍｅｄｉｃａｌ  ａｎｄ  ｂｉｏｔｅｃｈｎｏｌｏｇｉｃａｌ  ａｐｐｌｉｃａｔｉｏｎｓ"  （２００５）Ｊｏｕｒｎａｌ  ｏｆ  Ｍａｔｅｒｉａｌｓ  Ｓｃｉｅｎｃｅ−−Ｍａｔｅｒｉａｌｓ  ｉｎ  Ｍｅｄｉｃｉｎｅ  １６（１０）：９３３−９４６．
（非特許文献２２１）  ＺＩＬＬＡ  ａｎｄ  ＨＵＭＡＮ，"Ｐｒｏｓｔｈｅｔｉｃ  ｖａｓｃｕｌａｒ  ｇｒａｆｔｓ：  Ｗｒｏｎｇ  ｍｏｄｅｌｓ，  ｗｒｏｎｇ  ｑｕｅｓｔｉｏｎｓ  ａｎｄ  ｎｏ  ｈｅａｌｉｎｇ"（２００７）Ｂｉｏｍａｔｅｒｉａｌｓ，２８（３４）：５００９−５０２７．